(57)【特許請求の範囲】
【請求項１】
ダウンリンク制御チャネルの繰り返し回数を決定するための装置であって、
前記ダウンリンク制御チャネル上で搬送されるダウンリンク制御情報を受信するように構成される、受信器であって、前記ダウンリンク制御情報は、前記ダウンリンク制御チャネルの繰り返し回数に対応するパラメータによって処理される、受信器と、
前記ダウンリンク制御チャネルに従って、前記ダウンリンク制御チャネルの前記繰り返し回数を決定するように構成される、プロセッサとを備え、前記プロセッサは、
複数の保存されている繰り返し回数のうちの任意の繰り返し回数に関して、前記繰り返し回数に対応するスクランブルシーケンスに従って、デスクランブルを前記ダウンリンク制御チャネル上で搬送される前記処理されたダウンリンク制御情報に対して行い、
前記ダウンリンク制御チャネル上で搬送されるダウンリンク制御情報に対応する周期的冗長検査(CRC)ビットに従って、検証をデスクランブルしたダウンリンク制御情報に対して行い、
前記検証が成功した場合には、前記繰り返し回数を前記ダウンリンク制御チャネルの前記繰り返し回数として決定するように構成される、装置。
【請求項２】
前記プロセッサは、
前記繰り返し回数に対応するマスクおよびユーザ機器(UE)の無線ネットワークテンポラリ情報(RNTI)に従って、デスクランブルを前記ダウンリンク制御チャネル上で搬送される前記処理されたダウンリンク制御情報内のスクランブルされたCRCビットに対して行うように構成される、請求項1に記載の装置。
【請求項３】
ダウンリンク制御チャネルの繰り返し回数を決定するための装置であって、
前記ダウンリンク制御チャネル上で搬送されるダウンリンク制御情報を受信するように構成される、受信器であって、前記ダウンリンク制御情報は、前記ダウンリンク制御チャネルの繰り返し回数に対応するパラメータによって処理される、受信器と、
前記ダウンリンク制御チャネルに従って、前記ダウンリンク制御チャネルの前記繰り返し回数を決定するように構成される、プロセッサとを備え、アンテナ選択が設定されている場合には、前記プロセッサは、
前記繰り返し回数に対応するマスク、アンテナ選択マスク、およびユーザ機器(UE)の無線ネットワークテンポラリ情報(RNTI)に従って、デスクランブルを前記ダウンリンク制御チャネル上で搬送される前記処理されたダウンリンク制御情報内のスクランブルされたCRCビットに対して行うように構成される、装置。
【請求項４】
ダウンリンク制御チャネルの繰り返し回数を決定するための装置であって、
前記ダウンリンク制御チャネル上で搬送されるダウンリンク制御情報を受信するように構成される、受信器であって、前記ダウンリンク制御情報は、前記ダウンリンク制御チャネルの繰り返し回数に対応するパラメータによって処理される、受信器と、
前記ダウンリンク制御チャネルに従って、前記ダウンリンク制御チャネルの前記繰り返し回数を決定するように構成される、プロセッサとを備え、前記プロセッサは、
シーケンスジェネレータがスクランブルシーケンスを生成することができるように、前記繰り返し回数に対応するスクランブル初期化パラメータ、前記ダウンリンク制御チャネルが現在位置しているタイムスロットの番号、およびユーザ機器(UE)によって獲得された識別値に従って、前記シーケンスジェネレータを初期化し、
前記シーケンスジェネレータによって生成された前記スクランブルシーケンスに従って、デスクランブルを前記ダウンリンク制御チャネル上で搬送される前記処理されたダウンリンク制御情報に対して行うように構成される、装置。
【請求項５】
ダウンリンク制御チャネルの繰り返し回数を決定するための装置であって、
前記ダウンリンク制御チャネル上で搬送されるダウンリンク制御情報を受信するように構成される、受信器であって、前記ダウンリンク制御情報は、前記ダウンリンク制御チャネルの繰り返し回数に対応するパラメータによって処理される、受信器と、
前記ダウンリンク制御チャネルに従って、前記ダウンリンク制御チャネルの前記繰り返し回数を決定するように構成される、プロセッサとを備え、前記プロセッサは、
前記ダウンリンク制御チャネル上で搬送される前記処理されたダウンリンク制御情報に対応するシンボルと前記繰り返し回数に対応するスクランブルシーケンスとをビット単位で乗算して、デスクランブルを前記ダウンリンク制御チャネル上で搬送される前記処理されたダウンリンク制御情報に対して行うように構成される、装置。
【請求項６】
前記プロセッサは、
複数の保存されている繰り返し回数のうちの任意の繰り返し回数に関して、前記繰り返し回数に対応するサブフレームセットに従って、前記対応するダウンリンク制御チャネルを獲得し、
検出を前記獲得したダウンリンク制御チャネルに対して行い、
前記検出が成功した場合には、前記繰り返し回数を前記ダウンリンク制御チャネルの前記繰り返し回数として決定するように構成される、請求項1に記載の装置。
【請求項７】
前記複数の繰り返し回数に対応するサブフレームセットは、少なくとも1つの非重複サブフレームを含む、請求項6に記載の装置。
【請求項８】
前記プロセッサは、
前記ダウンリンク制御チャネルの前記繰り返し回数に従って、データチャネルの繰り返し回数を前記ダウンリンク制御チャネルの前記繰り返し回数と前記データチャネルの前記繰り返し回数との間の保存されている対応付けから獲得し、
前記繰り返し回数に従ってデータ伝送を行うように構成される、請求項1から7のいずれか一項に記載の装置。
【請求項９】
前記受信器は、
前記ダウンリンク制御チャネルの前記繰り返し回数と前記データチャネルの前記繰り返し回数との間の前記対応付けを受信するように構成される、請求項8に記載の装置。
【請求項１０】
ダウンリンク制御チャネルの繰り返し回数を決定するための方法であって、
前記ダウンリンク制御チャネル上で搬送されるダウンリンク制御情報を受信するステップであって、前記ダウンリンク制御情報は、前記ダウンリンク制御チャネルの繰り返し回数に対応するパラメータによって処理される、ステップと、
前記ダウンリンク制御チャネルに従って、前記ダウンリンク制御チャネルの前記繰り返し回数を決定するステップとを含み、
前記ダウンリンク制御チャネルに従って、前記ダウンリンク制御チャネルの前記繰り返し回数を決定するステップは、
複数の保存されている繰り返し回数のうちの任意の繰り返し回数に関して、前記繰り返し回数に対応するスクランブルシーケンスに従って、デスクランブルを前記ダウンリンク制御チャネル上で搬送される前記処理されたダウンリンク制御情報に対して行うステップと、
前記ダウンリンク制御チャネル上で搬送されるダウンリンク制御情報に対応する周期的冗長検査(CRC)ビットに従って、検証をデスクランブルしたダウンリンク制御情報に対して行うステップと、
前記検証が成功した場合には、前記繰り返し回数を前記ダウンリンク制御チャネルの前記繰り返し回数として決定するステップとを含む、方法。
【請求項１１】
前記繰り返し回数に対応するスクランブルシーケンスに従って、デスクランブルを前記ダウンリンク制御チャネル上で搬送される前記処理されたダウンリンク制御情報に対して行うステップは、
前記繰り返し回数に対応するマスクおよびユーザ機器(UE)の無線ネットワークテンポラリ情報(RNTI)に従って、デスクランブルを前記ダウンリンク制御チャネル上で搬送される前記処理されたダウンリンク制御情報内のスクランブルされたCRCビットに対して行うステップを含む、請求項10に記載の方法。
【請求項１２】
ダウンリンク制御チャネルの繰り返し回数を決定するための方法であって、
前記ダウンリンク制御チャネル上で搬送されるダウンリンク制御情報を受信するステップであって、前記ダウンリンク制御情報は、前記ダウンリンク制御チャネルの繰り返し回数に対応するパラメータによって処理される、ステップと、
前記ダウンリンク制御チャネルに従って、前記ダウンリンク制御チャネルの前記繰り返し回数を決定するステップとを含み、
アンテナ選択が設定されている場合には、前記繰り返し回数に対応するマスクおよびユーザ機器(UE)の無線ネットワークテンポラリ情報(RNTI)に従って、デスクランブルを前記ダウンリンク制御チャネル上で搬送される前記処理されたダウンリンク制御情報内のスクランブルされたCRCビットに対して行うステップは、
前記繰り返し回数に対応する前記マスク、アンテナ選択マスク、および前記RNTIに従って、デスクランブルを前記ダウンリンク制御チャネル上で搬送される前記処理されたダウンリンク制御情報内の前記スクランブルされたCRCビットに対して行うステップを含む、方法。
【請求項１３】
ダウンリンク制御チャネルの繰り返し回数を決定するための方法であって、
前記ダウンリンク制御チャネル上で搬送されるダウンリンク制御情報を受信するステップであって、前記ダウンリンク制御情報は、前記ダウンリンク制御チャネルの繰り返し回数に対応するパラメータによって処理される、ステップと、
前記ダウンリンク制御チャネルに従って、前記ダウンリンク制御チャネルの前記繰り返し回数を決定するステップとを含み、
前記ダウンリンク制御チャネルに従って、前記ダウンリンク制御チャネルの前記繰り返し回数を決定するステップは、
シーケンスジェネレータがスクランブルシーケンスを生成することができるように、前記繰り返し回数に対応するスクランブル初期化パラメータ、前記ダウンリンク制御チャネルが現在位置しているタイムスロットの番号、およびユーザ機器(UE)によって獲得された識別値に従って、前記シーケンスジェネレータを初期化するステップと、
前記シーケンスジェネレータによって生成された前記スクランブルシーケンスに従って、デスクランブルを前記ダウンリンク制御チャネル上で搬送される前記処理されたダウンリンク制御情報に対して行うステップとを含む、方法。
【請求項１４】
ダウンリンク制御チャネルの繰り返し回数を決定するための方法であって、
前記ダウンリンク制御チャネル上で搬送されるダウンリンク制御情報を受信するステップであって、前記ダウンリンク制御情報は、前記ダウンリンク制御チャネルの繰り返し回数に対応するパラメータによって処理される、ステップと、
前記ダウンリンク制御チャネルに従って、前記ダウンリンク制御チャネルの前記繰り返し回数を決定するステップとを含み、
前記ダウンリンク制御チャネルに従って、前記ダウンリンク制御チャネルの前記繰り返し回数を決定するステップは、
前記ダウンリンク制御チャネル上で搬送される前記処理されたダウンリンク制御情報に対応するシンボルと前記繰り返し回数に対応するスクランブルシーケンスとをビット単位で乗算して、デスクランブルを前記ダウンリンク制御チャネル上で搬送される前記処理されたダウンリンク制御情報に対して行うステップを含む、方法。
【請求項１５】
前記ダウンリンク制御チャネルに従って、前記ダウンリンク制御チャネルの前記繰り返し回数を決定するステップは、
複数の保存されている繰り返し回数のうちの任意の繰り返し回数に関して、前記繰り返し回数に対応するサブフレームセットに従って、前記対応するダウンリンク制御チャネルを獲得するステップと、
検出を前記獲得したダウンリンク制御チャネルに対して行うステップと、
前記検出が成功した場合には、前記繰り返し回数を前記ダウンリンク制御チャネルの前記繰り返し回数として決定するステップとを含む、請求項10に記載の方法。
【請求項１６】
前記複数の繰り返し回数に対応するサブフレームセットは、少なくとも1つの非重複サブフレームを含む、請求項15に記載の方法。
【請求項１７】
前記方法は、
前記ダウンリンク制御チャネルの前記繰り返し回数に従って、データチャネルの繰り返し回数を前記ダウンリンク制御チャネルの前記繰り返し回数と前記データチャネルの前記繰り返し回数との間の保存されている対応付けから獲得するステップと、
前記データチャネルの前記繰り返し回数に従って、ダウンリンクデータチャネルを受信またはアップリンクデータチャネルを送信するステップとをさらに含む、請求項10から16のいずれか一項に記載の方法。
【請求項１８】
前記ダウンリンク制御チャネルの前記繰り返し回数に従って、データチャネルの繰り返し回数を前記ダウンリンク制御チャネルの前記繰り返し回数と前記データチャネルの前記繰り返し回数との間の保存されている対応付けから獲得するステップの前に、
前記ダウンリンク制御チャネルの前記繰り返し回数と前記データチャネルの前記繰り返し回数との間の前記対応付けを受信するステップをさらに含む、請求項17に記載の方法。
【請求項１９】
請求項10から18のいずれか一項に記載の方法をコンピュータに実行させるプログラムを記憶する、コンピュータ可読記憶媒体。
【発明の詳細な説明】
【技術分野】
【０００１】
本発明は、無線通信分野に関し、詳細には、ダウンリンク制御チャネルの繰り返し回数を決定するための方法および装置に関する。
【背景技術】
【０００２】
無線通信システムにおいて、M2M(Machine to Machine、マシン・ツー・マシン)は、M2M通信が通信コストを大幅に低減することができるため、広く適用されている。M2Mは、メーターの示度、地質調査、環境モニタリング、およびトラッキングなどのシナリオにおいて使用され得る。加えて、M2Mは、屋外のオープンエリアにおいてだけではなく、建造物によってブロックされたまたは比較的大きな侵入損失を有する地下などの空間においても展開することができる。M2Mを建造物によってブロックされたまたは比較的大きな侵入損失を有する地下などの空間に展開した場合には、ネットワークカバレッジは、相対的に貧弱となる、したがって、チャネルの受信エネルギーは、M2Mのネットワークカバレッジを改善するために、チャネルを繰り返し送信することによって強化され得る。
【０００３】
チャネルは、制御チャネルおよびデータチャネルを含み、制御チャネルは、アップリンク制御チャネルおよびダウンリンク制御チャネルを含む。ダウンリンク制御チャネルは、UE(User Equipment、ユーザ機器)に送信されるダウンリンク制御情報を搬送するために使用され、UEは、ダウンリンク制御情報に従って、ネットワークサイドと通信し得る。ダウンリンク制御チャネルが繰り返し送信される場合には、UEは、ダウンリンク制御チャネルの繰り返し回数を決定し、ダウンリンク制御チャネルの繰り返し回数に従って、繰り返し送信されたダウンリンク制御チャネル上で搬送されるダウンリンク制御情報を獲得する必要がある。現時点、ネットワークサイドは、プリセットされた繰り返しレベルに従って、ダウンリンク制御チャネルをUEに送信する。UEは、ネットワークサイドによって送信されたダウンリンク制御チャネルを受信し、繰り返し送信されたダウンリンク制御チャネルをブラインド検出することによって、プリセットされた繰り返しレベルに従って、繰り返しレベルを決定し、繰り返し回数をさらに決定する。
【０００４】
複数の繰り返しレベルを1つのダウンリンク制御チャネルに設定し得るので、ネットワークサイドは、繰り返しレベルを任意の時点で切り替えて、ダウンリンク制御チャネルをUEに送信し得る。ネットワークサイドが第1の繰り返しレベルから第2の繰り返しレベルへと切り替えても、UEはまだ、第1の繰り返しレベルを使用して、繰り返し送信されたダウンリンク制御チャネルを検出している。検出が成功した場合には、UEによって検出された繰り返し回数は、ネットワークサイドによって実際送信された繰り返し回数とは異なっている。データチャネルとダウンリンク制御チャネルとの間の時間間隔は固定されているため、UEは、検出が成功した後のデータチャネルを受信することに成功できず、このことがリソースの浪費を引き起こす。データチャネルを受信できなかった場合には、UEは、ACK/NACK(Acknowledge/Nacknowledge、肯定応答/否定応答)メッセージをネットワークサイドにフィードバックする。ACK/NACKメッセージをネットワークサイドにフィードバックする場合には、UEはアップリンク制御チャネルを占有する必要があるため、この場合には、ネットワークサイドはアップリンク制御チャネルをUEに割り振らず、別のUEのアップリンク制御チャネルがUEによる干渉を受けることになり得る。加えて、UEがデータチャネルを受信することに成功できなかった場合には、UEは、データチャネルを検出することを継続する、このことが、UEの電力消費を増大している。
【発明の概要】
【課題を解決するための手段】
【０００５】
本発明の実施形態は、ダウンリンク制御チャネルの繰り返し回数を決定するための方法および装置を提供している。技術的解決手法は以下の通りである。
【０００６】
第1の態様に従って、ダウンリンク制御チャネルの繰り返し回数を決定するための装置を提供しており、装置は、
ダウンリンク制御チャネルの繰り返し回数に対応する処理情報を獲得するように構成される、第1の獲得モジュールと、
処理情報に従って、ダウンリンク制御チャネルをユーザ機器UEに送信するように構成される、送信モジュールであって、ダウンリンク制御チャネルは、UEが処理情報に従ってダウンリンク制御チャネルの繰り返し回数を決定することができるように、必要な処理が行われたダウンリンク制御情報を搬送するために使用される、送信モジュールとを備える。
【０００７】
第1の態様に準拠しており、第1の態様の第1の可能な実施様態においては、第1の獲得モジュールは、
ダウンリンク制御チャネルの繰り返し回数に従って、対応するマスクを獲得するように構成される、第1の獲得ユニットを備える。
【０００８】
第1の態様の第1の可能な実施様態に準拠しており、第1の態様の第2の可能な実施様態においては、送信モジュールは、
ダウンリンク制御チャネル上で搬送されるダウンリンク制御情報の後ろに連続して、ダウンリンク制御情報に対応する周期的冗長検査コードCRCビットを結合してビットシーケンスを取得するように構成される、シリアル結合ユニットと、
マスクおよびUEの無線ネットワークテンポラリ情報RNTIに従って、スクランブルをダウンリンク制御チャネル上で搬送されるダウンリンク制御情報に対応するCRCビットに対して行って必要な処理が行われたダウンリンク制御情報を取得するように構成される、第1のスクランブルユニットと、
必要な処理が行われたダウンリンク制御情報をダウンリンク制御チャネルに付加して、ダウンリンク制御チャネルをUEに送信するように構成される、第1の送信ユニットとを備える。
【０００９】
第1の態様の第2の可能な実施様態に準拠しており、第1の態様の第3の可能な実施様態においては、装置は、
アンテナ選択が設定されている場合にアンテナ選択マスクを獲得するように構成される、第2の獲得モジュールをさらに備え、
それに対応するように、第1のスクランブルユニットは、
マスク、アンテナ選択マスク、およびRNTIに従って、スクランブルをダウンリンク制御チャネル上で搬送されるダウンリンク制御情報に対応するCRCビットに対して行って必要な処理が行われたダウンリンク制御情報を取得するように特に構成される。
【００１０】
第1の態様に準拠しており、第1の態様の第4の可能な実施様態においては、第1の獲得モジュールは、
ダウンリンク制御チャネルの繰り返し回数に対応するスクランブル初期化パラメータを獲得するように構成される、第2の獲得ユニットと、
ダウンリンク制御チャネルが現在位置しているタイムスロットの番号およびネットワークサイドによって獲得された識別ID値を獲得するように構成される、第3の獲得ユニットと、
シーケンスジェネレータがスクランブルシーケンスを生成することができるように、スクランブル初期化パラメータ、ダウンリンク制御チャネルが現在位置しているタイムスロットの番号、およびネットワークサイドによって獲得されたID値に従って、シーケンスジェネレータを初期化するように構成される、初期化ユニットとを備える。
【００１１】
第1の態様に準拠しており、第1の態様の第5の可能な実施様態においては、装置は、
ダウンリンク制御情報の後ろに連続してCRCビットを結合してビットシーケンスを取得するように構成される、シリアル結合モジュールと、
チャネル符号化をビットシーケンスに対して行って符号化ブロックを取得するように構成される、チャネル符号化モジュールと、
レートマッチング処理を符号化ブロックに対して行ってレートマッチングビットを取得するように構成される、レートマッチングモジュールとをさらに備える。
【００１２】
第1の態様の第4の可能な実施様態または第1の態様の第5の可能な実施様態に準拠しており、第1の態様の第6の可能な実施様態においては、送信モジュールは、
シーケンスジェネレータによって生成されたスクランブルシーケンスに従って、スクランブルをレートマッチングビットに対して行って必要な処理が行われたダウンリンク制御情報を取得するように構成される、第2のスクランブルユニットと、
必要な処理が行われたダウンリンク制御情報をダウンリンク制御チャネルに付加して、ダウンリンク制御チャネルをUEに送信するように構成される、第2の送信ユニットとを備える。
【００１３】
第1の態様の第5の可能な実施様態に準拠しており、第1の態様の第7の可能な実施様態においては、装置は、
スクランブルおよび変調をレートマッチングビットに対して行って変調シンボルを取得するように構成される、変調モジュールをさらに備え、
それに対応するように、送信モジュールは、
変調シンボルおよび繰り返し回数に対応するスクランブルシーケンスをビット単位で乗算して、必要な処理が行われたダウンリンク制御情報を取得するように構成される、乗算ユニットと、
必要な処理が行われたダウンリンク制御情報をダウンリンク制御チャネルに付加して、ダウンリンク制御チャネルをUEに送信するように構成される、第3の送信ユニットとを備える。
【００１４】
第1の態様に準拠しており、第1の態様の第8の可能な実施様態においては、第1の獲得モジュールは、
ダウンリンク制御チャネルの繰り返し回数に関する指示ビットを獲得するように構成される、第4の獲得ユニットと、
繰り返し回数を示すために、ダウンリンク制御チャネルの繰り返し回数に従って指示ビットを設定するように構成される、設定ユニットとを備える。
【００１５】
第1の態様の第8の可能な実施様態に準拠しており、第1の態様の第9の可能な実施様態においては、指示ビットは、新たに追加されたビットまたは既存のビットである。
【００１６】
第1の態様に準拠しており、第1の態様の第10の可能な実施様態においては、第1の獲得モジュールは、
繰り返し回数に対応する周波数領域リソースを獲得するように構成される、第5の獲得ユニットであって、周波数領域リソースは、候補ロケーションまたは制御チャネルの探索領域である、第5の獲得ユニットを備える。
【００１７】
第1の態様の第10の可能な実施様態に準拠しており、第1の態様の第11の可能な実施様態においては、送信モジュールは、
ダウンリンク制御情報をダウンリンク制御チャネルに付加して、ダウンリンク制御チャネルを周波数領域リソースに付加するように構成される、付加ユニットと、
周波数領域リソース上でダウンリンク制御チャネルをUEに送信するように構成される、第4の送信ユニットとを備える。
【００１８】
第1の態様に準拠しており、第1の態様の第12の可能な実施様態においては、送信モジュールは、
UEが、設定シグナリングメッセージに従って、プリセットされた実効時間後の繰り返し回数を決定することができるように、設定シグナリングメッセージをUEに送信するように構成される、第5の送信ユニットと、
繰り返し回数に従って、ダウンリンク制御情報をダウンリンク制御チャネルに付加して、プリセットされた実効時間が満了した後にダウンリンク制御チャネルをUEに送信するように構成される、第6の送信ユニットとを備える。
【００１９】
第1の態様の第12の可能な実施様態に準拠しており、第1の態様の第13の可能な実施様態においては、設定シグナリングメッセージは、無線リソース制御RRCメッセージまたは媒体アクセス制御要素MAC CEメッセージである。
【００２０】
第1の態様に準拠しており、第1の態様の第14の可能な実施様態においては、第1の獲得モジュールは、
ダウンリンク制御チャネルの繰り返し回数に従って、繰り返し回数に対応するサブフレームセットを獲得するように構成される、第6の獲得ユニットを備える。
【００２１】
第1の態様の第14の可能な実施様態に準拠しており、第1の態様の第15の可能な実施様態においては、送信モジュールは、
繰り返し回数に対応するサブフレームセットにおいて、ダウンリンク制御情報をダウンリンク制御チャネルに付加して、ダウンリンク制御チャネルをUEに送信するように構成される、第7の送信ユニットを備える。
【００２２】
第1の態様の第14の可能な実施様態または第1の態様の第15の可能な実施様態に準拠しており、第1の態様の第16の可能な実施様態においては、複数の繰り返し回数に対応するサブフレームセットは、少なくとも1つの非重複サブフレームを含む。
【００２３】
第1の態様および第1の態様の第1から第16の可能な実施様態のうちのいずれか1つに準拠しており、第1の態様の第17の可能な実施様態においては、装置は、
ダウンリンク制御チャネルの繰り返し回数とデータチャネルの繰り返し回数との間の対応付けを設定して、UEに、ダウンリンク制御チャネルの繰り返し回数とデータチャネルの繰り返し回数との間の対応付けを送信するように構成される、設定モジュール、または、
ダウンリンク制御チャネルの繰り返し回数とデータチャネルの繰り返し回数との間の対応付けをプリセットするように構成される、プリセットモジュールをさらに備える。
【００２４】
第1の態様の第17の可能な実施様態に準拠しており、第1の態様の第18の可能な実施様態においては、装置は、
ダウンリンク制御チャネルの繰り返し回数に従って、対応するデータチャネルの繰り返し回数をダウンリンク制御チャネルの繰り返し回数とデータチャネルの繰り返し回数との間の対応付けから獲得するように構成される、第3の獲得モジュールと、
データチャネルの繰り返し回数に従って、ダウンリンクデータチャネルを送信またはアップリンクデータチャネルを受信するように構成される、第1の送受信モジュールとをさらに備える。
【００２５】
第2の態様に従って、ダウンリンク制御チャネルの繰り返し回数を決定するための装置を提供しており、装置は、
ダウンリンク制御チャネルを受信するように構成される、第1の受信モジュールであって、ダウンリンク制御チャネルは、必要な処理が行われたダウンリンク制御情報を搬送するために使用され、ダウンリンク制御情報は、ダウンリンク制御チャネルの繰り返し回数に対応する処理情報に従って、ネットワークサイドによって送信される、第1の受信モジュールと、
ダウンリンク制御チャネルに従って、ダウンリンク制御チャネルの繰り返し回数を決定するように構成される、決定モジュールとを備える。
【００２６】
第2の態様に準拠しており、第2の態様の第1の可能な実施様態においては、決定モジュールは、
複数の保存されている繰り返し回数のうちの任意の繰り返し回数に関して、繰り返し回数に対応するスクランブルシーケンスに従って、デスクランブルをダウンリンク制御チャネル上で搬送される必要な処理が行われたダウンリンク制御情報に対して行うように構成される、デスクランブルユニットと、
ダウンリンク制御チャネル上で搬送されるダウンリンク制御情報に対応する周期的冗長検査CRCビットに従って、検証をデスクランブルしたダウンリンク制御情報に対して行うように構成される、検証ユニットと、
検証が成功した場合には、繰り返し回数をダウンリンク制御チャネルの繰り返し回数として決定するように構成される、第1の決定ユニットとを備える。
【００２７】
第2の態様の第1の可能な実施様態に準拠しており、第2の態様の第2の可能な実施様態においては、デスクランブルユニットは、
スクランブルされたCRCビットをダウンリンク制御チャネル上で搬送される必要な処理が行われたダウンリンク制御情報から獲得するように構成される、獲得サブユニットと、
繰り返し回数に対応するマスクおよびユーザ機器UEの無線ネットワークテンポラリ情報RNTIに従って、デスクランブルをダウンリンク制御チャネル上で搬送される必要な処理が行われたダウンリンク制御情報内のスクランブルされたCRCビットに対して行うように構成される、第1のデスクランブルサブユニットとを備える。
【００２８】
第2の態様の第2の可能な実施様態に準拠しており、第2の態様の第3の可能な実施様態においては、アンテナ選択が設定されている場合には、デスクランブルユニットは、
繰り返し回数に対応するマスク、アンテナ選択マスク、およびRNTIに従って、デスクランブルをダウンリンク制御チャネル上で搬送される必要な処理が行われたダウンリンク制御情報内のスクランブルされたCRCビットに対して行うように構成される、第2のデスクランブルサブユニットを備える。
【００２９】
第2の態様の第1の可能な実施様態に準拠しており、第2の態様の第4の可能な実施様態においては、デスクランブルユニットは、
シーケンスジェネレータがスクランブルシーケンスを生成することができるように、繰り返し回数に対応するスクランブル初期化パラメータ、ダウンリンク制御チャネルが現在位置しているタイムスロットの番号、およびUEによって獲得された識別ID値に従って、シーケンスジェネレータを初期化するように構成される、初期化サブユニットと、
シーケンスジェネレータによって生成されたスクランブルシーケンスに従って、デスクランブルをダウンリンク制御チャネル上で搬送される必要な処理が行われたダウンリンク制御情報に対して行うように構成される、第3のデスクランブルサブユニットとを備える。
【００３０】
第2の態様の第1の可能な実施様態に準拠しており、第2の態様の第5の可能な実施様態においては、デスクランブルユニットは、
ダウンリンク制御チャネル上で搬送される必要な処理が行われたダウンリンク制御情報に対応するシンボルと繰り返し回数に対応するスクランブルシーケンスとをビット単位で乗算して、デスクランブルしたダウンリンク制御情報を取得するように構成される、乗算サブユニットを備える。
【００３１】
第2の態様に準拠しており、第2の態様の第6の可能な実施様態においては、決定モジュールは、
ダウンリンクチャネル上で搬送されるダウンリンク制御情報内の指示ビットを獲得するように構成される、第7の獲得ユニットと、
指示ビットに従って、ダウンリンク制御チャネルの繰り返し回数を決定するように構成される、第2の決定ユニットとを備える。
【００３２】
第2の態様の第6の可能な実施様態に準拠しており、第2の態様の第7の可能な実施様態においては、指示ビットは、新たに追加されたビットまたは既存のビットである。
【００３３】
第2の態様に準拠しており、第2の態様の第7の可能な実施様態においては、決定モジュールは、
複数の保存されている繰り返し回数のうちの任意の繰り返し回数に関して、繰り返し回数に対応する周波数領域リソースに従って、検出をダウンリンク制御チャネルに対して行うように構成される、第1の検出ユニットであって、周波数領域リソースは、候補ロケーションまたはダウンリンク制御チャネルの探索領域である、第1の検出ユニットと、
検出が成功した場合には、繰り返し回数をダウンリンク制御チャネルの繰り返し回数として決定するように構成される、第3の決定ユニットとを備える。
【００３４】
第2の態様の第8の可能な実施様態に準拠しており、第2の態様の第9の可能な実施様態においては、異なる繰り返し回数が異なる探索領域にある場合には、オフセットが隣接探索領域の間に存在する。
【００３５】
第2の態様に準拠しており、第2の態様の第10の可能な実施様態においては、決定モジュールは、
設定シグナリングメッセージを受信するように構成される、受信ユニットと、
設定シグナリングメッセージにおいて搬送された繰り返し回数が、プリセットされた実効時間後の、ダウンリンク制御チャネルについての、繰り返し回数であると決定するように構成される、第4の決定ユニットとを備える。
【００３６】
第2の態様の第10の可能な実施様態に準拠しており、第2の態様の第11の可能な実施様態においては、設定シグナリングメッセージは、無線リソース制御RRCメッセージまたは媒体アクセス制御要素MAC CEメッセージである。
【００３７】
第2の態様に準拠しており、第2の態様の第12の可能な実施様態においては、決定モジュールは、
複数の保存されている繰り返し回数のうちの任意の繰り返し回数に関して、繰り返し回数に対応するサブフレームセットに従って、対応するダウンリンク制御チャネルを獲得するように構成される、第8の獲得ユニットと、
検出を獲得したダウンリンク制御チャネルに対して行うように構成される、第2の検出ユニットと、
検出が成功した場合には、繰り返し回数をダウンリンク制御チャネルの繰り返し回数として決定するように構成される、第5の決定ユニットとを備える。
【００３８】
第2の態様の第12の可能な実施様態に準拠しており、第2の態様の第13の可能な実施様態においては、複数の繰り返し回数に対応するサブフレームセットは、少なくとも1つの非重複サブフレームを含む。
【００３９】
第2の態様および第2の態様の第1から第13の可能な実施様態のうちのいずれか1つに準拠しており、第2の態様の第14の可能な実施様態においては、装置は、
ダウンリンク制御チャネルの繰り返し回数に従って、データチャネルの繰り返し回数をダウンリンク制御チャネルの繰り返し回数とデータチャネルの繰り返し回数との間の保存されている対応付けから獲得するように構成される、第4の獲得モジュールと、
データチャネルの繰り返し回数に従って、アップリンクデータチャネルを送信またはダウンリンクデータチャネルを受信するように構成される、第2の送受信モジュールとをさらに備える。
【００４０】
第2の態様の第14の可能な実施様態に準拠しており、第2の態様の第15の可能な実施様態においては、装置は、
ダウンリンク制御チャネルの繰り返し回数とデータチャネルの繰り返し回数との間の対応付けを受信するように構成される、第2の受信モジュールをさらに備える。
【００４１】
第3の態様に従って、ダウンリンク制御チャネルの繰り返し回数を決定するための方法を提供しており、方法は、
ダウンリンク制御チャネルの繰り返し回数に対応する処理情報を獲得するステップと、
処理情報に従って、ダウンリンク制御チャネルをユーザ機器UEに送信するステップであって、ダウンリンク制御チャネルは、UEが処理情報に従ってダウンリンク制御チャネルの繰り返し回数を決定することができるように、必要な処理が行われたダウンリンク制御情報を搬送するために使用される、ステップとを含む。
【００４２】
第3の態様に準拠しており、第3の態様の第1の可能な実施様態においては、ダウンリンク制御チャネルの繰り返し回数に対応する処理情報を獲得するステップは、
ダウンリンク制御チャネルの繰り返し回数に従って、対応するマスクを獲得するステップを含む。
【００４３】
第3の態様の第1の可能な実施様態に準拠しており、第3の態様の第2の可能な実施様態においては、処理情報に従って、ダウンリンク制御チャネルをユーザ機器UEに送信するステップは、
ダウンリンク制御チャネル上で搬送されるダウンリンク制御情報の後ろに連続して、ダウンリンク制御情報に対応する周期的冗長検査コードCRCビットを結合してビットシーケンスを取得するステップと、
マスクおよびUEの無線ネットワークテンポラリ情報RNTIに従って、スクランブルをダウンリンク制御チャネル上で搬送されるダウンリンク制御情報に対応する周期的冗長検査コードCRCビットに対して行って必要な処理が行われたダウンリンク制御情報を取得するステップと、
ダウンリンク制御情報の後ろに連続してスクランブルされたCRCビットを結合して必要な処理が行われたダウンリンク制御情報を取得するステップと、
必要な処理が行われたダウンリンク制御情報をダウンリンク制御チャネルに付加して、ダウンリンク制御チャネルをUEに送信するステップとを含む。
【００４４】
第3の態様の第2の可能な実施様態に準拠しており、第3の態様の第3の可能な実施様態においては、方法は、
アンテナ選択が設定されている場合にアンテナ選択マスクを獲得するステップをさらに含み、
それに対応するように、マスクおよびUEの無線ネットワークテンポラリ情報RNTIに従って、スクランブルをダウンリンク制御チャネル上で搬送されるダウンリンク制御情報に対応するCRCビットに対して行って必要な処理が行われたダウンリンク制御情報を取得するステップは、
マスク、アンテナ選択マスク、およびRNTIに従って、スクランブルをダウンリンク制御チャネル上で搬送されるダウンリンク制御情報に対応するCRCビットに対して行って必要な処理が行われたダウンリンク制御情報を取得するステップを含む。
【００４５】
第3の態様に準拠しており、第3の態様の第4の可能な実施様態においては、ダウンリンク制御チャネルの繰り返し回数に対応する処理情報を獲得するステップは、
ダウンリンク制御チャネルの繰り返し回数に対応するスクランブル初期化パラメータを獲得するステップと、
ダウンリンク制御チャネルが現在位置しているタイムスロットの番号およびネットワークサイドによって獲得された識別ID値を獲得するステップと、
シーケンスジェネレータがスクランブルシーケンスを生成することができるように、スクランブル初期化パラメータ、ダウンリンク制御チャネルが現在位置しているタイムスロットの番号、およびネットワークサイドによって獲得されたID値に従って、シーケンスジェネレータを初期化するステップとを含む。
【００４６】
第3の態様に準拠しており、第3の態様の第5の可能な実施様態においては、処理情報に従って、ダウンリンク制御チャネルをユーザ機器UEに送信するステップの前に、方法は、
ダウンリンク制御情報の後ろに連続してCRCビットを結合してビットシーケンスを取得するステップと、
チャネル符号化をビットシーケンスに対して行って符号化ブロックを取得するステップと、
レートマッチング処理を符号化ブロックに対して行ってレートマッチングビットを取得するステップとをさらに含む。
【００４７】
第3の態様の第4の可能な実施様態または第3の態様の第5の可能な実施様態に準拠しており、第3の態様の第6の可能な実施様態においては、処理情報に従って、ダウンリンク制御チャネルをユーザ機器UEに送信するステップは、
シーケンスジェネレータによって生成されたスクランブルシーケンスに従って、スクランブルをレートマッチングビットに対して行って必要な処理が行われたダウンリンク制御情報を取得するステップと、
必要な処理が行われたダウンリンク制御情報をダウンリンク制御チャネルに付加して、ダウンリンク制御チャネルをUEに送信するステップとを含む。
【００４８】
第3の態様の第5の可能な実施様態に準拠しており、第3の態様の第7の可能な実施様態においては、方法は、
スクランブルおよび変調をレートマッチングビットに対して行って変調シンボルを取得するステップをさらに含み、
それに対応するように、処理情報に従って、ダウンリンク制御チャネルをユーザ機器UEに送信するステップは、
変調シンボルおよび繰り返し回数に対応するスクランブルシーケンスをビット単位で乗算して、必要な処理が行われたダウンリンク制御情報を取得するステップと、
必要な処理が行われたダウンリンク制御情報をダウンリンク制御チャネルに付加して、ダウンリンク制御チャネルをUEに送信するステップとを含む。
【００４９】
第3の態様に準拠しており、第3の態様の第8の可能な実施様態においては、ダウンリンク制御チャネルの繰り返し回数に対応する処理情報を獲得するステップは、
ダウンリンク制御チャネルの繰り返し回数に関する指示ビットを獲得するステップと、
繰り返し回数を示すために、ダウンリンク制御チャネルの繰り返し回数に従って指示ビットを設定するステップとを含む。
【００５０】
第3の態様の第8の可能な実施様態に準拠しており、第3の態様の第9の可能な実施様態においては、指示ビットは、新たに追加されたビットまたは既存のビットである。
【００５１】
第3の態様に準拠しており、第3の態様の第10の可能な実施様態においては、ダウンリンク制御チャネルの繰り返し回数に対応する処理情報を獲得するステップは、
繰り返し回数に対応する周波数領域リソースを獲得するステップであって、周波数領域リソースは、候補ロケーションまたは制御チャネルの探索領域である、ステップを含む。
【００５２】
第3の態様の第10の可能な実施様態に準拠しており、第3の態様の第11の可能な実施様態においては、処理情報に従って、ダウンリンク制御チャネルをユーザ機器UEに送信するステップは、
ダウンリンク制御情報をダウンリンク制御チャネルに付加して、ダウンリンク制御チャネルを周波数領域リソースに付加するステップと、
周波数領域リソース上でダウンリンク制御チャネルをUEに送信するステップとを含む。
【００５３】
第3の態様に準拠しており、第3の態様の第12の可能な実施様態においては、処理情報に従って、ダウンリンク制御チャネルをユーザ機器UEに送信するステップは、
UEが、設定シグナリングメッセージに従って、プリセットされた実効時間後の繰り返し回数を決定することができるように、設定シグナリングメッセージをUEに送信するステップと、
繰り返し回数に従って、ダウンリンク制御情報をダウンリンク制御チャネルに付加して、プリセットされた実効時間が満了した後にダウンリンク制御チャネルをUEに送信するステップとを含む。
【００５４】
第3の態様の第12の可能な実施様態に準拠しており、第3の態様の第13の可能な実施様態においては、設定シグナリングメッセージは、無線リソース制御RRCメッセージまたは媒体アクセス制御要素MAC CEメッセージである。
【００５５】
第3の態様に準拠しており、第3の態様の第14の可能な実施様態においては、ダウンリンク制御チャネルの繰り返し回数に対応する処理情報を獲得するステップは、
ダウンリンク制御チャネルの繰り返し回数に従って、繰り返し回数に対応するサブフレームセットを獲得するステップを含む。
【００５６】
第3の態様の第14の可能な実施様態に準拠しており、第3の態様の第15の可能な実施様態においては、処理情報に従って、ダウンリンク制御チャネルをユーザ機器UEに送信するステップは、
繰り返し回数に対応するサブフレームセットにおいて、ダウンリンク制御情報をダウンリンク制御チャネルに付加して、ダウンリンク制御チャネルをUEに送信するステップを含む。
【００５７】
第3の態様の第14の可能な実施様態または第3の態様の第15の可能な実施様態に準拠しており、第3の態様の第16の可能な実施様態においては、複数の繰り返し回数に対応するサブフレームセットは、少なくとも1つの非重複サブフレームを含む。
【００５８】
第3の態様および第3の態様の第1から第16の可能な実施様態のうちのいずれか1つに準拠しており、第3の態様の第17の可能な実施様態においては、方法は、
ダウンリンク制御チャネルの繰り返し回数とデータチャネルの繰り返し回数との間の対応付けを設定して、UEに、ダウンリンク制御チャネルの繰り返し回数とデータチャネルの繰り返し回数との間の対応付けを送信するステップ、または、
ダウンリンク制御チャネルの繰り返し回数とデータチャネルの繰り返し回数との間の対応付けをプリセットするステップをさらに含む。
【００５９】
第3の態様の第17の可能な実施様態に準拠しており、第3の態様の第18の可能な実施様態においては、方法は、
ダウンリンク制御チャネルの繰り返し回数に従って、対応するデータチャネルの繰り返し回数からダウンリンク制御チャネルの繰り返し回数とデータチャネルの繰り返し回数との間の対応付けから獲得するステップと、
データチャネルの繰り返し回数に従って、ダウンリンクデータチャネルを送信またはアップリンクデータチャネルを受信するステップとをさらに含む。
【００６０】
第4の態様に従って、ダウンリンク制御チャネルの繰り返し回数を決定するための方法を提供しており、方法は、
ダウンリンク制御チャネルを受信するステップであって、ダウンリンク制御チャネルは、必要な処理が行われたダウンリンク制御情報を搬送するために使用され、ダウンリンク制御情報は、ダウンリンク制御チャネルの繰り返し回数に対応する処理情報に従って、ネットワークサイドによって送信される、ステップと、
ダウンリンク制御チャネルに従って、ダウンリンク制御チャネルの繰り返し回数を決定するステップとを含む。
【００６１】
第4の態様に準拠しており、第4の態様の第1の可能な実施様態においては、ダウンリンク制御チャネルに従って、ダウンリンク制御チャネルの繰り返し回数を決定するステップは、
複数の保存されている繰り返し回数のうちの任意の繰り返し回数に関して、繰り返し回数に対応するスクランブルシーケンスに従って、デスクランブルをダウンリンク制御チャネル上で搬送される必要な処理が行われたダウンリンク制御情報に対して行うステップと、
ダウンリンク制御チャネル上で搬送されるダウンリンク制御情報に対応する周期的冗長検査CRCビットに従って、検証をデスクランブルしたダウンリンク制御情報に対して行うステップと、
検証が成功した場合には、繰り返し回数をダウンリンク制御チャネルの繰り返し回数として決定するステップとを含む。
【００６２】
第4の態様の第1の可能な実施様態に準拠しており、第4の態様の第2の可能な実施様態においては、繰り返し回数に対応するスクランブルシーケンスに従って、デスクランブルをダウンリンク制御チャネル上で搬送される必要な処理が行われたダウンリンク制御情報に対して行うステップは、
繰り返し回数に対応するマスクおよびユーザ機器UEの無線ネットワークテンポラリ情報RNTIに従って、デスクランブルをダウンリンク制御チャネル上で搬送される必要な処理が行われたダウンリンク制御情報内のスクランブルされたCRCビットに対して行うステップを含む。
【００６３】
第4の態様の第2の可能な実施様態に準拠しており、第4の態様の第3の可能な実施様態においては、アンテナ選択が設定されている場合には、繰り返し回数に対応するマスクおよびユーザ機器UEの無線ネットワークテンポラリ情報RNTIに従って、デスクランブルをダウンリンク制御チャネル上で搬送される必要な処理が行われたダウンリンク制御情報内のスクランブルされたCRCビットに対して行うステップは、
繰り返し回数に対応するマスク、アンテナ選択マスク、およびRNTIに従って、デスクランブルをダウンリンク制御チャネル上で搬送される必要な処理が行われたダウンリンク制御情報内のスクランブルされたCRCビットに対して行うステップを含む。
【００６４】
第4の態様の第1の可能な実施様態に準拠しており、第4の態様の第4の可能な実施様態においては、繰り返し回数に対応するスクランブルシーケンスに従って、デスクランブルをダウンリンク制御チャネル上で搬送される必要な処理が行われたダウンリンク制御情報に対して行うステップは、
シーケンスジェネレータがスクランブルシーケンスを生成することができるように、繰り返し回数に対応するスクランブル初期化パラメータ、ダウンリンク制御チャネルが現在位置しているタイムスロットの番号、およびUEによって獲得された識別ID値に従って、シーケンスジェネレータを初期化するステップと、
シーケンスジェネレータによって生成されたスクランブルシーケンスに従って、デスクランブルをダウンリンク制御チャネル上で搬送される必要な処理が行われたダウンリンク制御情報に対して行うステップとを含む。
【００６５】
第4の態様の第1の可能な実施様態に準拠しており、第4の態様の第5の可能な実施様態においては、繰り返し回数に対応するスクランブルシーケンスに従って、デスクランブルをダウンリンク制御チャネル上で搬送される必要な処理が行われたダウンリンク制御情報に対して行うステップは、
ダウンリンク制御チャネル上で搬送される必要な処理が行われたダウンリンク制御情報に対応するシンボルと繰り返し回数に対応するスクランブルシーケンスとをビット単位で乗算して、デスクランブルしたダウンリンク制御情報を取得するステップを含む。
【００６６】
第4の態様に準拠しており、第4の態様の第6の可能な実施様態においては、ダウンリンク制御チャネルに従って、ダウンリンク制御チャネルの繰り返し回数を決定するステップは、
ダウンリンクチャネル上で搬送されるダウンリンク制御情報内の指示ビットを獲得するステップと、
指示ビットに従って、ダウンリンク制御チャネルの繰り返し回数を決定するステップとを含む。
【００６７】
第4の態様の第6の可能な実施様態に準拠しており、第4の態様の第7の可能な実施様態においては、指示ビットは、新たに追加されたビットまたは既存のビットである。
【００６８】
第4の態様に準拠しており、第4の態様の第7の可能な実施様態においては、ダウンリンク制御チャネルに従って、ダウンリンク制御チャネルの繰り返し回数を決定するステップは、
複数の保存されている繰り返し回数のうちの任意の繰り返し回数に関して、繰り返し回数に対応する周波数領域リソースに従って、検出をダウンリンク制御チャネルに対して行うステップであって、周波数領域リソースは、候補ロケーションまたはダウンリンク制御チャネルの探索領域である、ステップと、
検出が成功した場合には、繰り返し回数をダウンリンク制御チャネルの繰り返し回数として決定するステップとを含む。
【００６９】
第4の態様の第8の可能な実施様態に準拠しており、第4の態様の第9の可能な実施様態においては、異なる繰り返し回数が異なる探索領域にある場合には、オフセットが隣接探索領域の間に存在する。
【００７０】
第4の態様に準拠しており、第4の態様の第10の可能な実施様態においては、ダウンリンク制御チャネルに従って、ダウンリンク制御チャネルの繰り返し回数を決定するステップは、
設定シグナリングメッセージを受信するステップと、
設定シグナリングメッセージにおいて搬送された繰り返し回数が、プリセットされた実効時間後の、ダウンリンク制御チャネルについての、繰り返し回数であると決定するステップとを含む。
【００７１】
第4の態様の第10の可能な実施様態に準拠しており、第4の態様の第11の可能な実施様態においては、設定シグナリングメッセージは、無線リソース制御RRCメッセージまたは媒体アクセス制御要素MAC CEメッセージである。
【００７２】
第4の態様に準拠しており、第4の態様の第12の可能な実施様態においては、ダウンリンク制御チャネルに従って、ダウンリンク制御チャネルの繰り返し回数を決定するステップは、
複数の保存されている繰り返し回数のうちの任意の繰り返し回数に関して、繰り返し回数に対応するサブフレームセットに従って、対応するダウンリンク制御チャネルを獲得するステップと、
検出を獲得したダウンリンク制御チャネルに対して行うステップと、
検出が成功した場合には、繰り返し回数をダウンリンク制御チャネルの繰り返し回数として決定するステップとを含む。
【００７３】
第4の態様の第12の可能な実施様態に準拠しており、第4の態様の第13の可能な実施様態においては、複数の繰り返し回数に対応するサブフレームセットは、少なくとも1つの非重複サブフレームを含む。
【００７４】
第4の態様および第4の態様の第1から第13の可能な実施様態のうちのいずれか1つに準拠しており、第4の態様の第14の可能な実施様態においては、方法は、
ダウンリンク制御チャネルの繰り返し回数に従って、データチャネルの繰り返し回数をダウンリンク制御チャネルの繰り返し回数とデータチャネルの繰り返し回数との間の保存されている対応付けから獲得するステップと、
データチャネルの繰り返し回数に従って、ダウンリンクデータチャネルを受信またはアップリンクデータチャネルを送信するステップとをさらに含む。
【００７５】
第4の態様の第14の可能な実施様態に準拠しており、第4の態様の第15の可能な実施様態においては、ダウンリンク制御チャネルの繰り返し回数に従って、データチャネルの繰り返し回数をダウンリンク制御チャネルの繰り返し回数とデータチャネルの繰り返し回数との間の保存されている対応付けから獲得するステップの前に、方法は、
ダウンリンク制御チャネルの繰り返し回数とデータチャネルの繰り返し回数との間の対応付けを受信するステップをさらに含む。
【００７６】
本発明の実施形態においては、ダウンリンク制御チャネルの繰り返し回数に対応する処理情報を獲得し、ダウンリンク制御チャネルを、処理情報に従って、UEに送信する。受信したダウンリンク制御チャネルに従って、UEは、ダウンリンク制御チャネルの繰り返し回数を決定する、その結果、ネットワークサイドによって送信された繰り返し回数は、UEによって検出された繰り返し回数と同一になる。したがって、UEは、データチャネルを受信することに成功し得る。UEがデータチャネルを受信することに成功した場合には、UEが割り振られたアップリンク制御リソースに従ってACK/NACKメッセージをネットワークサイドに送信するならば、別のUEのアップリンク制御チャネルが干渉を受けることはない。データチャネルを受信することに成功した後は、UEは、再びデータチャネルを受信することはなくなり、それによって、UEの電力消費およびリソース消費を低減している。
【図面の簡単な説明】
【００７７】
本発明の実施形態における技術的解決手法をより明確に説明するために、実施形態を説明するために必要な添付の図面を以下に簡潔に説明する。以下の説明における添付の図面が本発明の一部の実施形態を示しているにすぎず、当業者が創造的努力なしにこれらの添付の図面から他の図面をさらに導出し得ることは明らかであろう。
【図１】本発明の実施形態1による、ダウンリンク制御チャネルの繰り返し回数を決定するための装置の概略構造図である。
【図２】本発明の実施形態2による、ダウンリンク制御チャネルの繰り返し回数を決定するための装置の概略構造図である。
【図３】本発明の実施形態3による、ダウンリンク制御チャネルの繰り返し回数を決定するための方法のフローチャートである。
【図４】本発明の実施形態4による、ダウンリンク制御チャネルの繰り返し回数を決定するための方法のフローチャートである。
【図５】本発明の実施形態5による、ダウンリンク制御チャネルの繰り返し回数を決定するための方法のフローチャートである。
【図６】本発明の実施形態6による、ダウンリンク制御チャネルの繰り返し回数を決定するための方法のフローチャートである。
【図７】本発明の実施形態7による、ダウンリンク制御チャネルの繰り返し回数を決定するための方法のフローチャートである。
【図８】本発明の実施形態8による、ダウンリンク制御チャネルの繰り返し回数を決定するための方法のフローチャートである。
【図９】本発明の実施形態8による、繰り返し回数に対応する周波数領域リソースの概略図である。
【図１０】本発明の実施形態9による、ダウンリンク制御チャネルの繰り返し回数を決定するための方法のフローチャートである。
【図１１】本発明の実施形態10による、ダウンリンク制御チャネルの繰り返し回数を決定するための方法のフローチャートである。
【図１２】本発明の実施形態10による、繰り返し回数に対応するサブフレームセットの概略図である。
【図１３】本発明の実施形態10による、繰り返し回数に対応する別のサブフレームセットの概略図である。
【図１４】本発明の実施形態11による、ダウンリンク制御チャネルの繰り返し回数を決定するための装置の概略構造図である。
【図１５】本発明の実施形態12による、ダウンリンク制御チャネルの繰り返し回数を決定するための装置の概略構造図である。
【発明を実施するための形態】
【００７８】
本発明の目的、技術的解決手法、および利点をより明確にするために、添付の図面を参照して本発明の実施形態を以下に詳細にさらに説明する。
【００７９】
実施形態1
図1は、本発明の実施形態による、ダウンリンク制御チャネルの繰り返し回数を決定するための装置の概略構造図である。図1を参照すれば、装置は、
ダウンリンク制御チャネルの繰り返し回数に対応する処理情報を獲得するように構成される、第1の獲得モジュール101と、
処理情報に従って、ダウンリンク制御チャネルをユーザ機器UEに送信するように構成される、送信モジュール102であって、ダウンリンク制御チャネルは、UEが処理情報に従ってダウンリンク制御チャネルの繰り返し回数を決定することができるように、必要な処理が行われたダウンリンク制御情報を搬送するために使用される、送信モジュール102とを備える。
【００８０】
必要に応じて、第1の獲得モジュール101は、
ダウンリンク制御チャネルの繰り返し回数に従って、対応するマスクを獲得するように構成される、第1の獲得ユニットを備える。
【００８１】
必要に応じて、送信モジュール102は、
ダウンリンク制御チャネル上で搬送されるダウンリンク制御情報の後ろに連続して、ダウンリンク制御情報に対応する周期的冗長検査コードCRCビットを結合してビットシーケンスを取得するように構成される、シリアル結合ユニットと、
マスクおよびUEの無線ネットワークテンポラリ情報RNTIに従って、スクランブルをダウンリンク制御チャネル上で搬送されるダウンリンク制御情報に対応するCRCビットに対して行って必要な処理が行われたダウンリンク制御情報を取得するように構成される、第1のスクランブルユニットと、
必要な処理が行われたダウンリンク制御情報をダウンリンク制御チャネルに付加して、ダウンリンク制御チャネルをUEに送信するように構成される、第1の送信ユニットとを備える。
【００８２】
さらに、装置は、
アンテナ選択が設定されている場合にアンテナ選択マスクを獲得するように構成される、第2の獲得モジュールをさらに備える。
【００８３】
それに対応するように、第1のスクランブルユニットは、
マスク、アンテナ選択マスク、およびRNTIに従って、スクランブルをダウンリンク制御チャネル上で搬送されるダウンリンク制御情報に対応するCRCビットに対して行って必要な処理が行われたダウンリンク制御情報を取得するように特に構成される。
【００８４】
必要に応じて、第1の獲得モジュール101は、
ダウンリンク制御チャネルの繰り返し回数に対応するスクランブル初期化パラメータを獲得するように構成される、第2の獲得ユニットと、
ダウンリンク制御チャネルが現在位置しているタイムスロットの番号およびネットワークサイドによって獲得された識別ID値を獲得するように構成される、第3の獲得ユニットと、
シーケンスジェネレータがスクランブルシーケンスを生成することができるように、スクランブル初期化パラメータ、ダウンリンク制御チャネルが現在位置しているタイムスロットの番号、およびネットワークサイドによって獲得されたID値に従って、シーケンスジェネレータを初期化するように構成される、初期化ユニットとを備える。
【００８５】
さらに、装置は、
ダウンリンク制御情報の後ろに連続してCRCビットを結合してビットシーケンスを取得するように構成される、シリアル結合モジュールと、
チャネル符号化をビットシーケンスに対して行って符号化ブロックを取得するように構成される、チャネル符号化モジュールと、
レートマッチング処理を符号化ブロックに対して行ってレートマッチングビットを取得するように構成される、レートマッチングモジュールとをさらに備える。
【００８６】
必要に応じて、送信モジュール102は、
シーケンスジェネレータによって生成されたスクランブルシーケンスに従って、スクランブルをレートマッチングビットに対して行って必要な処理が行われたダウンリンク制御情報を取得するように構成される、第2のスクランブルユニットと、
必要な処理が行われたダウンリンク制御情報をダウンリンク制御チャネルに付加して、ダウンリンク制御チャネルをUEに送信するように構成される、第2の送信ユニットとを備える。
【００８７】
さらに、装置は、
スクランブルおよび変調をレートマッチングビットに対して行って変調シンボルを取得するように構成される、変調モジュールをさらに備える。
【００８８】
それに対応するように、送信モジュール102は、
変調シンボルおよび繰り返し回数に対応するスクランブルシーケンスをビット単位で乗算して、必要な処理が行われたダウンリンク制御情報を取得するように構成される、乗算ユニットと、
必要な処理が行われたダウンリンク制御情報をダウンリンク制御チャネルに付加して、ダウンリンク制御チャネルをUEに送信するように構成される、第3の送信ユニットとを備える。
【００８９】
必要に応じて、第1の獲得モジュール101は、
ダウンリンク制御チャネルの繰り返し回数に関する指示ビットを獲得するように構成される、第4の獲得ユニットと、
繰り返し回数を示すために、ダウンリンク制御チャネルの繰り返し回数に従って指示ビットを設定するように構成される、設定ユニットとを備える。
【００９０】
指示ビットは、新たに追加されたビットまたは既存のビットである。
【００９１】
必要に応じて、第1の獲得モジュール101は、
繰り返し回数に対応する周波数領域リソースを獲得するように構成される、第5の獲得ユニットであって、周波数領域リソースは、候補ロケーションまたは制御チャネルの探索領域である、第5の獲得ユニットを備える。
【００９２】
必要に応じて、送信モジュール102は、
ダウンリンク制御情報をダウンリンク制御チャネルに付加して、ダウンリンク制御チャネルを周波数領域リソースに付加するように構成される、付加ユニットと、
周波数領域リソース上でダウンリンク制御チャネルをUEに送信するように構成される、第4の送信ユニットとを備える。
【００９３】
必要に応じて、送信モジュール102は、
UEが、設定シグナリングメッセージに従って、プリセットされた実効時間後の繰り返し回数を決定することができるように、設定シグナリングメッセージをUEに送信するように構成される、第5の送信ユニットと、
繰り返し回数に従って、ダウンリンク制御情報をダウンリンク制御チャネルに付加して、プリセットされた実効時間が満了した後にダウンリンク制御チャネルをUEに送信するように構成される、第6の送信ユニットとを備える。
【００９４】
設定シグナリングメッセージは、無線リソース制御RRCメッセージまたは媒体アクセス制御要素MAC CEメッセージである。
【００９５】
必要に応じて、第1の獲得モジュール101は、
ダウンリンク制御チャネルの繰り返し回数に従って、繰り返し回数に対応するサブフレームセットを獲得するように構成される、第6の獲得ユニットを備える。
【００９６】
必要に応じて、送信モジュール102は、
繰り返し回数に対応するサブフレームセットにおいて、ダウンリンク制御情報をダウンリンク制御チャネルに付加して、ダウンリンク制御チャネルをUEに送信するように構成される、第7の送信ユニットを備える。
【００９７】
複数の繰り返し回数に対応するサブフレームセットは、少なくとも1つの非重複サブフレームを含む。
【００９８】
さらに、装置は、
ダウンリンク制御チャネルの繰り返し回数とデータチャネルの繰り返し回数との間の対応付けを設定して、UEに、ダウンリンク制御チャネルの繰り返し回数とデータチャネルの繰り返し回数との間の対応付けを送信するように構成される、設定モジュール、または、
ダウンリンク制御チャネルの繰り返し回数とデータチャネルの繰り返し回数との間の対応付けをプリセットするように構成される、プリセットモジュールをさらに備える。
【００９９】
さらに、装置は、
ダウンリンク制御チャネルの繰り返し回数に従って、対応するデータチャネルの繰り返し回数をダウンリンク制御チャネルの繰り返し回数とデータチャネルの繰り返し回数との間の対応付けから獲得するように構成される、第3の獲得モジュールと、
データチャネルの繰り返し回数に従って、ダウンリンクデータチャネルを送信またはアップリンクデータチャネルを受信するように構成される、第1の送受信モジュールとをさらに備える。
【０１００】
本発明の本実施形態においては、ダウンリンク制御チャネルの繰り返し回数に対応する処理情報を獲得し、ダウンリンク制御チャネルを、処理情報に従って、UEに送信する。受信したダウンリンク制御チャネルに従って、UEは、ダウンリンク制御チャネルの繰り返し回数を決定する、その結果、ネットワークサイドによって送信された繰り返し回数は、UEによって検出された繰り返し回数と同一になり、さらに、UEは、データチャネルを受信することに成功し得る。UEがデータチャネルを受信することに成功した場合には、UEが割り振られたアップリンク制御リソースに従ってACK/NACKメッセージをネットワークサイドに送信するならば、別のUEのアップリンク制御チャネルが干渉を受けることはない。データチャネルを受信することに成功した後は、UEは、再びデータチャネルを受信することはなくなり、それによって、UEの電力消費およびリソース消費を低減している。
【０１０１】
実施形態2
図2は、本発明の実施形態による、ダウンリンク制御チャネルの繰り返し回数を決定するための装置の概略構造図である。図2を参照すれば、装置は、
ダウンリンク制御チャネルを受信するように構成される、第1の受信モジュール201であって、ダウンリンク制御チャネルは、必要な処理が行われたダウンリンク制御情報を搬送するために使用され、ダウンリンク制御情報は、ダウンリンク制御チャネルの繰り返し回数に対応する処理情報に従って、ネットワークサイドによって送信される、第1の受信モジュール201と、
ダウンリンク制御チャネルに従って、ダウンリンク制御チャネルの繰り返し回数を決定するように構成される、決定モジュール202とを備える。
【０１０２】
必要に応じて、決定モジュール202は、
複数の保存されている繰り返し回数のうちの任意の繰り返し回数に関して、繰り返し回数に対応するスクランブルシーケンスに従って、デスクランブルをダウンリンク制御チャネル上で搬送される必要な処理が行われたダウンリンク制御情報に対して行うように構成される、デスクランブルユニットと、
ダウンリンク制御チャネル上で搬送されるダウンリンク制御情報に対応する周期的冗長検査CRCビットに従って、検証をデスクランブルしたダウンリンク制御情報に対して行うように構成される、検証ユニットと、
検証が成功した場合には、繰り返し回数をダウンリンク制御チャネルの繰り返し回数として決定するように構成される、第1の決定ユニットとを備える。
【０１０３】
さらに、デスクランブルユニットは、
スクランブルされたCRCビットをダウンリンク制御チャネル上で搬送される必要な処理が行われたダウンリンク制御情報から獲得するように構成される、獲得サブユニットと、
繰り返し回数に対応するマスクおよびユーザ機器UEの無線ネットワークテンポラリ情報RNTIに従って、デスクランブルをダウンリンク制御チャネル上で搬送される必要な処理が行われたダウンリンク制御情報内のスクランブルされたCRCビットに対して行うように構成される、第1のデスクランブルサブユニットとを備える。
【０１０４】
必要に応じて、アンテナ選択が設定されている場合には、デスクランブルユニットは、
繰り返し回数に対応するマスク、アンテナ選択マスク、およびRNTIに従って、デスクランブルをダウンリンク制御チャネル上で搬送される必要な処理が行われたダウンリンク制御情報内のスクランブルされたCRCビットに対して行うように構成される、第2のデスクランブルサブユニットを備える。
【０１０５】
デスクランブルユニットは、
シーケンスジェネレータがスクランブルシーケンスを生成することができるように、繰り返し回数に対応するスクランブル初期化パラメータ、ダウンリンク制御チャネルが現在位置しているタイムスロットの番号、およびUEによって獲得された識別ID値に従って、シーケンスジェネレータを初期化するように構成される、初期化サブユニットと、
シーケンスジェネレータによって生成されたスクランブルシーケンスに従って、デスクランブルをダウンリンク制御チャネル上で搬送される必要な処理が行われたダウンリンク制御情報に対して行うように構成される、第3のデスクランブルサブユニットとを備える。
【０１０６】
必要に応じて、デスクランブルユニットは、
ダウンリンク制御チャネル上で搬送される必要な処理が行われたダウンリンク制御情報に対応するシンボルと繰り返し回数に対応するスクランブルシーケンスとをビット単位で乗算して、デスクランブルしたダウンリンク制御情報を取得するように構成される、乗算サブユニットを備える。
【０１０７】
必要に応じて、決定モジュール202は、
ダウンリンクチャネル上で搬送されるダウンリンク制御情報内の指示ビットを獲得するように構成される、第7の獲得ユニットと、
指示ビットに従って、ダウンリンク制御チャネルの繰り返し回数を決定するように構成される、第2の決定ユニットとを備える。
【０１０８】
指示ビットは、新たに追加されたビットまたは既存のビットである。
【０１０９】
必要に応じて、決定モジュール202は、
複数の保存されている繰り返し回数のうちの任意の繰り返し回数に関して、繰り返し回数に対応する周波数領域リソースに従って、検出をダウンリンク制御チャネルに対して行うように構成される、第1の検出ユニットであって、周波数領域リソースは、候補ロケーションまたはダウンリンク制御チャネルの探索領域である、第1の検出ユニットと、
検出が成功した場合には、繰り返し回数をダウンリンク制御チャネルの繰り返し回数として決定するように構成される、第3の決定ユニットとを備える。
【０１１０】
異なる繰り返し回数が異なる探索領域にある場合には、オフセットが隣接探索領域の間に存在する。
【０１１１】
必要に応じて、決定モジュール202は、
設定シグナリングメッセージを受信するように構成される、受信ユニットと、
設定シグナリングメッセージにおいて搬送された繰り返し回数が、プリセットされた実効時間後の、ダウンリンク制御チャネルについての、繰り返し回数であると決定するように構成される、第4の決定ユニットとを備える。
【０１１２】
設定シグナリングメッセージは、無線リソース制御RRCメッセージまたは媒体アクセス制御要素MAC CEメッセージである。
【０１１３】
必要に応じて、決定モジュール202は、
複数の保存されている繰り返し回数のうちの任意の繰り返し回数に関して、繰り返し回数に対応するサブフレームセットに従って、対応するダウンリンク制御チャネルを獲得するように構成される、第8の獲得ユニットと、
検出を獲得したダウンリンク制御チャネルに対して行うように構成される、第2の検出ユニットと、
検出が成功した場合には、繰り返し回数をダウンリンク制御チャネルの繰り返し回数として決定するように構成される、第5の決定ユニットとを備える。
【０１１４】
複数の繰り返し回数に対応するサブフレームセットは、少なくとも1つの非重複サブフレームを含む。
【０１１５】
さらに、装置は、
ダウンリンク制御チャネルの繰り返し回数に従って、データチャネルの繰り返し回数をダウンリンク制御チャネルの繰り返し回数とデータチャネルの繰り返し回数との間の保存されている対応付けから獲得するように構成される、第4の獲得モジュールと、
データチャネルの繰り返し回数に従って、アップリンクデータチャネルを送信またはダウンリンクデータチャネルを受信するように構成される、第2の送受信モジュールとをさらに備える。
【０１１６】
さらに、装置は、
ダウンリンク制御チャネルの繰り返し回数とデータチャネルの繰り返し回数との間の対応付けを受信するように構成される、第2の受信モジュールをさらに備える。
【０１１７】
本発明の本実施形態においては、ダウンリンク制御チャネルの繰り返し回数に対応する処理情報を獲得し、ダウンリンク制御チャネルを、処理情報に従って、UEに送信する。受信したダウンリンク制御チャネルに従って、UEは、ダウンリンク制御チャネルの繰り返し回数を決定する、その結果、ネットワークサイドによって送信された繰り返し回数は、UEによって検出された繰り返し回数と同一になり、さらに、UEは、データチャネルを受信することに成功し得る。UEがデータチャネルを受信することに成功した場合には、UEが割り振られたアップリンク制御リソースに従ってACK/NACKメッセージをネットワークサイドに送信するならば、別のUEのアップリンク制御チャネルが干渉を受けることはない。データチャネルを受信することに成功した後は、UEは、再びデータチャネルを受信することはなくなり、それによって、UEの電力消費およびリソース消費を低減している。
【０１１８】
実施形態3
図3は、本発明の実施形態による、ダウンリンク制御チャネルの繰り返し回数を決定するための方法のフローチャートである。図3を参照すれば、方法は、以下のステップを含む。
【０１１９】
ステップ301. ダウンリンク制御チャネルの繰り返し回数に対応する処理情報を獲得する。
【０１２０】
ステップ302. 処理情報に従って、ダウンリンク制御チャネルをユーザ機器UEに送信する、ここで、ダウンリンク制御チャネルは、UEが処理情報に従ってダウンリンク制御チャネルの繰り返し回数を決定することができるように、必要な処理が行われたダウンリンク制御情報を搬送するために使用される。
【０１２１】
必要に応じて、ダウンリンク制御チャネルの繰り返し回数に対応する処理情報を獲得するステップは、
ダウンリンク制御チャネルの繰り返し回数に従って、対応するマスクを獲得するステップを含む。
【０１２２】
必要に応じて、処理情報に従って、ダウンリンク制御チャネルをユーザ機器UEに送信するステップは、
ダウンリンク制御チャネル上で搬送されるダウンリンク制御情報の後ろに連続して、ダウンリンク制御情報に対応する周期的冗長検査コードCRCビットを結合してビットシーケンスを取得するステップと、
マスクおよびUEの無線ネットワークテンポラリ情報RNTIに従って、スクランブルをダウンリンク制御チャネル上で搬送されるダウンリンク制御情報に対応するCRCビットに対して行って必要な処理が行われたダウンリンク制御情報を取得するステップと、
必要な処理が行われたダウンリンク制御情報をダウンリンク制御チャネルに付加して、ダウンリンク制御チャネルをUEに送信するステップとを含む。
【０１２３】
方法は、
アンテナ選択が設定されている場合にアンテナ選択マスクを獲得するステップをさらに含む。
【０１２４】
それに対応するように、マスクおよびUEの無線ネットワークテンポラリ情報RNTIに従って、スクランブルをダウンリンク制御チャネル上で搬送されるダウンリンク制御情報に対応するCRCビットに対して行って必要な処理が行われたダウンリンク制御情報を取得するステップは、
マスク、アンテナ選択マスク、およびRNTIに従って、スクランブルをダウンリンク制御チャネル上で搬送されるダウンリンク制御情報に対応するCRCビットに対して行って必要な処理が行われたダウンリンク制御情報を取得するステップを含む。
【０１２５】
必要に応じて、ダウンリンク制御チャネルの繰り返し回数に対応する処理情報を獲得するステップは、
ダウンリンク制御チャネルの繰り返し回数に対応するスクランブル初期化パラメータを獲得するステップと、
ダウンリンク制御チャネルが現在位置しているタイムスロットの番号およびネットワークサイドによって獲得された識別ID値を獲得するステップと、
シーケンスジェネレータがスクランブルシーケンスを生成することができるように、スクランブル初期化パラメータ、ダウンリンク制御チャネルが現在位置しているタイムスロットの番号、およびネットワークサイドによって獲得されたID値に従って、シーケンスジェネレータを初期化するステップとを含む。
【０１２６】
必要に応じて、処理情報に従って、ダウンリンク制御チャネルをユーザ機器UEに送信するステップの前に、方法は、
ダウンリンク制御情報の後ろに連続してCRCビットを結合してビットシーケンスを取得するステップと、
チャネル符号化をビットシーケンスに対して行って符号化ブロックを取得するステップと、
レートマッチング処理を符号化ブロックに対して行ってレートマッチングビットを取得するステップとをさらに含む。
【０１２７】
必要に応じて、処理情報に従って、ダウンリンク制御チャネルをユーザ機器UEに送信するステップは、
シーケンスジェネレータによって生成されたスクランブルシーケンスに従って、スクランブルをレートマッチングビットに対して行って必要な処理が行われたダウンリンク制御情報を取得するステップと、
必要な処理が行われたダウンリンク制御情報をダウンリンク制御チャネルに付加して、ダウンリンク制御チャネルをUEに送信するステップとを含む。
【０１２８】
さらに、方法は、
スクランブルおよび変調をレートマッチングビットに対して行って変調シンボルを取得するステップをさらに含む。
【０１２９】
それに対応するように、処理情報に従って、ダウンリンク制御チャネルをユーザ機器UEに送信するステップは、
変調シンボルおよび繰り返し回数に対応するスクランブルシーケンスをビット単位で乗算して、必要な処理が行われたダウンリンク制御情報を取得するステップと、
必要な処理が行われたダウンリンク制御情報をダウンリンク制御チャネルに付加して、ダウンリンク制御チャネルをUEに送信するステップとを含む。
【０１３０】
ダウンリンク制御チャネルの繰り返し回数に対応する処理情報を獲得するステップは、
ダウンリンク制御チャネルの繰り返し回数に関する指示ビットを獲得するステップと、
繰り返し回数を示すために、ダウンリンク制御チャネルの繰り返し回数に従って指示ビットを設定するステップとを含む。
【０１３１】
指示ビットは、新たに追加されたビットまたは既存のビットである。
【０１３２】
必要に応じて、ダウンリンク制御チャネルの繰り返し回数に対応する処理情報を獲得するステップは、
繰り返し回数に対応する周波数領域リソースを獲得するステップであって、周波数領域リソースは、候補ロケーションまたは制御チャネルの探索領域である、ステップを含む。
【０１３３】
必要に応じて、処理情報に従って、ダウンリンク制御チャネルをユーザ機器UEに送信するステップは、
ダウンリンク制御情報をダウンリンク制御チャネルに付加して、ダウンリンク制御チャネルを周波数領域リソースに付加するステップと、
周波数領域リソース上でダウンリンク制御チャネルをUEに送信するステップとを含む。
【０１３４】
必要に応じて、処理情報に従って、ダウンリンク制御チャネルをユーザ機器UEに送信するステップは、
UEが、設定シグナリングメッセージに従って、プリセットされた実効時間後の繰り返し回数を決定することができるように、設定シグナリングメッセージをUEに送信するステップと、
繰り返し回数に従って、ダウンリンク制御情報をダウンリンク制御チャネルに付加して、プリセットされた実効時間が満了した後にダウンリンク制御チャネルをUEに送信するステップとを含む。
【０１３５】
設定シグナリングメッセージは、無線リソース制御RRCメッセージまたは媒体アクセス制御要素MAC CEメッセージである。
【０１３６】
必要に応じて、ダウンリンク制御チャネルの繰り返し回数に対応する処理情報を獲得するステップは、
ダウンリンク制御チャネルの繰り返し回数に従って、繰り返し回数に対応するサブフレームセットを獲得するステップを受信する。
【０１３７】
必要に応じて、処理情報に従って、ダウンリンク制御チャネルをユーザ機器UEに送信するステップは、
繰り返し回数に対応するサブフレームセットにおいて、ダウンリンク制御情報をダウンリンク制御チャネルに付加して、ダウンリンク制御チャネルをUEに送信するステップを受信する。
【０１３８】
複数の繰り返し回数に対応するサブフレームセットは、少なくとも1つの非重複サブフレームを含む。
【０１３９】
さらに、方法は、
ダウンリンク制御チャネルの繰り返し回数とデータチャネルの繰り返し回数との間の対応付けを設定して、UEに、ダウンリンク制御チャネルの繰り返し回数とデータチャネルの繰り返し回数との間の対応付けを送信するステップ、または、
ダウンリンク制御チャネルの繰り返し回数とデータチャネルの繰り返し回数との間の対応付けをプリセットするステップをさらに含む。
【０１４０】
さらに、方法は、
ダウンリンク制御チャネルの繰り返し回数に従って、対応するデータチャネルの繰り返し回数からダウンリンク制御チャネルの繰り返し回数とデータチャネルの繰り返し回数との間の対応付けから獲得するステップと、
データチャネルの繰り返し回数に従って、ダウンリンクデータチャネルを送信またはアップリンクデータチャネルを受信するステップとをさらに含む。
【０１４１】
本発明の本実施形態においては、ダウンリンク制御チャネルの繰り返し回数に対応する処理情報を獲得し、ダウンリンク制御チャネルを、処理情報に従って、UEに送信する。受信したダウンリンク制御チャネルに従って、UEは、ダウンリンク制御チャネルの繰り返し回数を決定する、その結果、ネットワークサイドによって送信された繰り返し回数は、UEによって検出された繰り返し回数と同一になり、さらに、UEは、データチャネルを受信することに成功し得る。UEがデータチャネルを受信することに成功した場合には、UEが割り振られたアップリンク制御リソースに従ってACK/NACKメッセージをネットワークサイドに送信するならば、別のUEのアップリンク制御チャネルが干渉を受けることはない。データチャネルを受信することに成功した後は、UEは、再びデータチャネルを受信することはなくなり、それによって、UEの電力消費およびリソース消費を低減している。
【０１４２】
実施形態4
図4は、本発明の実施形態による、ダウンリンク制御チャネルの繰り返し回数を決定するための方法のフローチャートである。図4を参照すれば、方法は、以下のステップを含む。
【０１４３】
ステップ401. ダウンリンク制御チャネルを受信する、ここで、ダウンリンク制御チャネルは、必要な処理が行われたダウンリンク制御情報を搬送するために使用され、ダウンリンク制御情報は、ダウンリンク制御チャネルの繰り返し回数に対応する処理情報に従って、ネットワークサイドによって送信される。
【０１４４】
ステップ402. ダウンリンク制御チャネルに従って、ダウンリンク制御チャネルの繰り返し回数を決定する。
【０１４５】
必要に応じて、ダウンリンク制御チャネルに従って、ダウンリンク制御チャネルの繰り返し回数を決定するステップは、
複数の保存されている繰り返し回数のうちの任意の繰り返し回数に関して、繰り返し回数に対応するスクランブルシーケンスに従って、デスクランブルをダウンリンク制御チャネル上で搬送される必要な処理が行われたダウンリンク制御情報に対して行うステップと、
ダウンリンク制御チャネル上で搬送されるダウンリンク制御情報に対応する周期的冗長検査CRCビットに従って、検証をデスクランブルしたダウンリンク制御情報に対して行うステップと、
検証が成功した場合には、繰り返し回数をダウンリンク制御チャネルの繰り返し回数として決定するステップとを含む。
【０１４６】
必要に応じて、繰り返し回数に対応するスクランブルシーケンスに従って、デスクランブルをダウンリンク制御チャネル上で搬送される必要な処理が行われたダウンリンク制御情報に対して行うステップは、
繰り返し回数に対応するマスクおよびユーザ機器UEの無線ネットワークテンポラリ情報RNTIに従って、デスクランブルをダウンリンク制御チャネル上で搬送される必要な処理が行われたダウンリンク制御情報内のスクランブルされたCRCビットに対して行うステップを含む。
【０１４７】
アンテナ選択が設定されている場合には、繰り返し回数に対応するマスクおよびユーザ機器UEの無線ネットワークテンポラリ情報RNTIに従って、デスクランブルをダウンリンク制御チャネル上で搬送される必要な処理が行われたダウンリンク制御情報内のスクランブルされたCRCビットに対して行うステップは、
繰り返し回数に対応するマスク、アンテナ選択マスク、およびRNTIに従って、デスクランブルをダウンリンク制御チャネル上で搬送される必要な処理が行われたダウンリンク制御情報内のスクランブルされたCRCビットに対して行うステップを含む。
【０１４８】
必要に応じて、繰り返し回数に対応するスクランブルシーケンスに従って、デスクランブルをダウンリンク制御チャネル上で搬送される必要な処理が行われたダウンリンク制御情報に対して行うステップは、
シーケンスジェネレータがスクランブルシーケンスを生成することができるように、繰り返し回数に対応するスクランブル初期化パラメータ、ダウンリンク制御チャネルが現在位置しているタイムスロットの番号、およびUEによって獲得された識別ID値に従って、シーケンスジェネレータを初期化するステップと、
シーケンスジェネレータによって生成されたスクランブルシーケンスに従って、デスクランブルをダウンリンク制御チャネル上で搬送される必要な処理が行われたダウンリンク制御情報に対して行うステップとを含む。
【０１４９】
必要に応じて、繰り返し回数に対応するスクランブルシーケンスに従って、デスクランブルをダウンリンク制御チャネル上で搬送される必要な処理が行われたダウンリンク制御情報に対して行うステップは、
ダウンリンク制御チャネル上で搬送される必要な処理が行われたダウンリンク制御情報に対応するシンボルと繰り返し回数に対応するスクランブルシーケンスとをビット単位で乗算して、デスクランブルしたダウンリンク制御情報を取得するステップを含む。
【０１５０】
必要に応じて、ダウンリンク制御チャネルに従って、ダウンリンク制御チャネルの繰り返し回数を決定するステップは、
ダウンリンクチャネル上で搬送されるダウンリンク制御情報内の指示ビットを獲得するステップと、
指示ビットに従って、ダウンリンク制御チャネルの繰り返し回数を決定するステップとを含む。
【０１５１】
指示ビットは、新たに追加されたビットまたは既存のビットである。
【０１５２】
必要に応じて、ダウンリンク制御チャネルに従って、ダウンリンク制御チャネルの繰り返し回数を決定するステップは、
複数の保存されている繰り返し回数のうちの任意の繰り返し回数に関して、繰り返し回数に対応する周波数領域リソースに従って、検出をダウンリンク制御チャネルに対して行うステップであって、周波数領域リソースは、候補ロケーションまたはダウンリンク制御チャネルの探索領域である、ステップと、
検出が成功した場合には、繰り返し回数をダウンリンク制御チャネルの繰り返し回数として決定するステップとを含む。
【０１５３】
異なる繰り返し回数が異なる探索領域にある場合には、オフセットが隣接探索領域の間に存在する。
【０１５４】
必要に応じて、ダウンリンク制御チャネルに従って、ダウンリンク制御チャネルの繰り返し回数を決定するステップは、
設定シグナリングメッセージを受信するステップと、
設定シグナリングメッセージにおいて搬送された繰り返し回数が、プリセットされた実効時間後の、ダウンリンク制御チャネルについての、繰り返し回数であると決定するステップとを含む。
【０１５５】
設定シグナリングメッセージは、無線リソース制御RRCメッセージまたは媒体アクセス制御要素MAC CEメッセージである。
【０１５６】
必要に応じて、ダウンリンク制御チャネルに従って、ダウンリンク制御チャネルの繰り返し回数を決定するステップは、
複数の保存されている繰り返し回数のうちの任意の繰り返し回数に関して、繰り返し回数に対応するサブフレームセットに従って、対応するダウンリンク制御チャネルを獲得するステップと、
検出を獲得したダウンリンク制御チャネルに対して行うステップと、
検出が成功した場合には、繰り返し回数をダウンリンク制御チャネルの繰り返し回数として決定するステップとを含む。
【０１５７】
複数の繰り返し回数に対応するサブフレームセットは、少なくとも1つの非重複サブフレームを含む。
【０１５８】
さらに、方法は、
ダウンリンク制御チャネルの繰り返し回数に従って、データチャネルの繰り返し回数をダウンリンク制御チャネルの繰り返し回数とデータチャネルの繰り返し回数との間の保存されている対応付けから獲得するステップと、
データチャネルの繰り返し回数に従って、ダウンリンクデータチャネルを受信またはアップリンクデータチャネルを送信するステップとをさらに含む。
【０１５９】
さらに、ダウンリンク制御チャネルの繰り返し回数に従って、データチャネルの繰り返し回数をダウンリンク制御チャネルの繰り返し回数とデータチャネルの繰り返し回数との間の保存されている対応付けから獲得するステップの前に、方法は、
ダウンリンク制御チャネルの繰り返し回数とデータチャネルの繰り返し回数との間の対応付けを受信するステップをさらに含む。
【０１６０】
本発明の本実施形態においては、ダウンリンク制御チャネルの繰り返し回数に対応する処理情報を獲得し、ダウンリンク制御チャネルを、処理情報に従って、UEに送信する。受信したダウンリンク制御チャネルに従って、UEは、ダウンリンク制御チャネルの繰り返し回数を決定する、その結果、ネットワークサイドによって送信された繰り返し回数は、UEによって検出された繰り返し回数と同一になり、さらに、UEは、データチャネルを受信することに成功し得る。UEがデータチャネルを受信することに成功した場合には、UEが割り振られたアップリンク制御リソースに従ってACK/NACKメッセージをネットワークサイドに送信するならば、別のUEのアップリンク制御チャネルが干渉を受けることはない。データチャネルを受信することに成功した後は、UEは、再びデータチャネルを受信することはなくなり、それによって、UEの電力消費およびリソース消費を低減している。
【０１６１】
実施形態5
図5は、本発明の実施形態による、ダウンリンク制御チャネルの繰り返し回数を決定するための方法のフローチャートである。図5を参照すれば、方法は、以下のステップを含む。
【０１６２】
ステップ501. ネットワークサイドは、ダウンリンク制御チャネルの繰り返し回数に従って、繰り返し回数に対応する処理情報を獲得する。
【０１６３】
本発明の本実施形態においては、処理情報は、スクランブルシーケンスであり、異なる繰り返し回数は、異なるスクランブルシーケンスに対応している。特に、ネットワークサイドによって、ダウンリンク制御チャネルの繰り返し回数に従って、繰り返し回数に対応する処理情報を獲得するための方法を、以下の2つの方法のいずれかに従って、実施してもよい。
【０１６４】
方法1: ネットワークサイドが、ダウンリンク制御チャネルの繰り返し回数に従って、繰り返し回数のために対応するマスクを設定し、マスクを繰り返し回数に対応する処理情報として決定する。
【０１６５】
方法2: ネットワークサイドが、ダウンリンク制御チャネルの繰り返し回数に従って、対応するマスクを繰り返し回数とマスクとの間のプリセットされた対応付けから獲得し、マスクを繰り返し回数に対応する処理情報として決定する。
【０１６６】
ネットワークサイドが繰り返し回数に対応するスクランブルシーケンスを設定する場合には、ネットワークサイドがダウンリンク制御チャネルをUEに送信する前に、ネットワークサイドは、UEに、繰り返し回数に設定されたスクランブルシーケンスを送信する必要がある。UEは、スクランブルシーケンスを受信および記憶する。
【０１６７】
本発明の本実施形態においては、繰り返し回数に対応するマスクが以下に示したビットストリングから選択され得ることに留意されたい。
【０１６８】
【数１】
0006368028.tif 000002
【０１６９】
前述のビットストリングにおいては、ビットストリング
【数２】
0006368028.tif 000003
は、アンテナ選択を行うようにUEに命令するために、ダウンリンク制御情報のフォーマット0のCRC(Cyclic Redundancy Check、周期的冗長検査)に対してスクランブル化されたシーケンスである、すなわち、<0,0,0,0,0,0,0,0,0,0,0,0,0,0,0,0>は、UEのアンテナポート0に対応しており、<0,0,0,0,0,0,0,0,0,0,0,0,0,0,0,1>は、UEのアンテナポート1に対応している。ビットストリング
【数３】
0006368028.tif 000004
は、アンテナ設定情報を送信するようにネットワークサイドに命令するために、BCH(Broadcast Channel、ブロードキャストチャネル)トランスポートブロックのCRCに対してスクランブル化されたシーケンスである。スクランブルシーケンスがマスク、RNTI(Radio Network Temporary Identity、無線ネットワークテンポラリ情報)、およびアンテナ選択マスクである場合には、アンテナ選択指示およびダウンリンク制御チャネル繰り返し指示を互いに独立させるべく、ダウンリンク制御チャネルのスクランブルされたマスクの最終ビットは0であり、その結果、アンテナ選択指示のビット状態を決定するステップにおけるダウンリンク制御チャネルへの影響を回避している。すなわち、繰り返し回数に対応するマスクが以下に示したビットストリングから選択され得る。
【０１７０】
【数４】
0006368028.tif 000005
【０１７１】
必要に応じて、本発明の本実施形態においては、ネットワークサイドはさらに、対応する繰り返しレベルをダウンリンク制御チャネルの繰り返し回数に従って繰り返し回数と繰り返しレベルとの間の保存されている対応付けから獲得し、獲得した繰り返しレベルに従って、繰り返しレベルに対応する処理情報を獲得し、獲得した処理情報を繰り返し回数に対応する処理情報として決定してもよい。
【０１７２】
繰り返し回数と繰り返しレベルとの間の対応付けは、ネットワークサイドによってプリセットされている。UEサイドにおいて、UEが、繰り返し回数と繰り返しレベルとの間の対応付けをプリセットしていてもよい。当然のことながら、ネットワークサイドはまた、繰り返し回数と繰り返しレベルとの間の対応付けを設定して、繰り返し回数と繰り返しレベルとの間の対応付けをUEに送信してもよい。
【０１７３】
本発明の本実施形態においては、ダウンリンク制御チャネルは、PDCCH(Physical Downlink Control Channel、物理ダウンリンク制御チャネル)であり得るし、または、EPDCCH(Enhanced Physical Downlink Control Channel、進化型物理ダウンリンク制御チャネル)であり得る。
【０１７４】
各繰り返しレベルは、繰り返し回数に対応している。例えば、ダウンリンク制御チャネルは、繰り返しレベル1、繰り返しレベル2、および繰り返しレベル3の3つの繰り返しレベルを含む。繰り返しレベル1に対応する繰り返し回数は5であってもよく、繰り返しレベル2に対応する繰り返し回数は10であってもよく、繰り返しレベル3に対応する繰り返し回数は20であってもよい。
【０１７５】
ステップ502. ネットワークサイドは、処理情報に従って、スクランブルをダウンリンク制御情報に対して行って必要な処理が行われたダウンリンク制御情報を取得する。
【０１７６】
処理情報がマスクである場合には、ネットワークサイドによって、処理情報に従って、スクランブルをダウンリンク制御情報に対して行う具体的な処理は、次の通りであり得る。ネットワークサイドは、ダウンリンク制御情報に対応するCRCビットを獲得し、ダウンリンク制御情報の後ろに連続してCRCビットを結合してビットシーケンスを取得する。ネットワークサイドは、UEのRNTIを獲得し、マスクおよびUEのRNTIに従って、スクランブルをビットシーケンス内のCRCビットに対して行って必要な処理が行われたダウンリンク制御情報を取得する。
【０１７７】
ネットワークサイドによって、マスクおよびUEのRNTIに従って、スクランブルをビットシーケンス内のCRCビットに対して行う具体的な処理は、次の通りであり得る。ネットワークサイドは、以下の式(1)を使用して、マスクおよびUEのRNTIに従って、スクランブルをビットシーケンス内のCRCビットに対して行ってスクランブルされたCRCビットを取得し得る。
【０１７８】
【数５】
0006368028.tif 000006
【０１７９】
前述の式(1)においては、ckはスクランブルされたCRCビットであり、pkはCRCビットであり、xrnti,kはRNTIであり、xREP,kはマスクであり、kはビットの番号であり、modはモジュロ演算である。ダウンリンク制御情報に対応するCRCビットについては、k=0,1,…,16である。
【０１８０】
処理情報がマスクであるとともにアンテナ選択が設定されている場合には、ネットワークサイドによって、処理情報に従って、スクランブルをダウンリンク制御情報に対して行って必要な処理が行われたダウンリンク制御情報を取得する具体的な処理は、次の通りであり得る。ネットワークサイドは、ダウンリンク制御情報に対応するCRCビット、UEのRNTI、およびアンテナ選択マスクを獲得し、ダウンリンク制御情報の後ろに連続してCRCビットを結合してビットシーケンスを取得し、マスク、アンテナ選択マスク、およびUEのRNTIに従って、スクランブルをビットシーケンス内のCRCビットに対して行って必要な処理が行われたダウンリンク制御情報を取得する。
【０１８１】
ネットワークサイドによって、マスク、アンテナ選択マスク、およびUEのRNTIに従って、スクランブルをビットシーケンス内のCRCビットに対して行う具体的な処理は、次の通りであり得る。ネットワークサイドは、マスク、アンテナ選択マスク、およびUEのRNTIに従って、以下の式(2)を使用して、スクランブルをビットシーケンス内のCRCビットに対して行ってスクランブルされたCRCビットを取得する。
【０１８２】
【数６】
0006368028.tif 000007
【０１８３】
前述の式(2)においては、xAS,kはアンテナ選択マスクである。
【０１８４】
CRCビットを獲得するための方法は、特に、ダウンリンク制御情報の後ろに連続してk個の0を結合することと、生成多項式に対応するビットによって、後ろに連続して結合されたk個の0を有するダウンリンク制御情報を除算して、対応する剰余を取得することと、剰余をCRCビットとして決定することとであり得る、ここで、除算は、バイナリ除算である。本発明の本実施形態においては、kは16であってもよい。
【０１８５】
16ビット生成多項式は、以下の式(3)に従って取得され得る。
gCRC16(D)=[D16+D12+D5+1] (3)
【０１８６】
前述の式(3)においては、gCRC16(D)は生成多項式であり、Dは多項式における対応する指数に対するバイナリ値が1であることを示す。
【０１８７】
生成多項式に対応するビット列は、10001000000100001である。
【０１８８】
ステップ503. ネットワークサイドは、必要な処理が行われたダウンリンク制御情報をダウンリンク制御チャネルに付加して、ダウンリンク制御チャネルをUEに送信する。
【０１８９】
ネットワークサイドが必要な処理が行われたダウンリンク制御情報をダウンリンク制御チャネルに付加する場合には、必要な処理が行われたダウンリンク制御情報は、ネットワークサイドが一連の処理をダウンリンク制御情報に対して行った後に取得されることに留意されたい。一連の処理は、CRC付加、CRCスクランブル、符号化、レートマッチング、スクランブル、変調、レイヤマッピング、プリコーディング、リソースマッピング、およびOFDM(Orthogonal Frequency Division Multiplexing、直交周波数分割多重方式)シンボル生成を含む処理の一部またはすべてであり得る。必要な処理が行われたダウンリンク制御情報がダウンリンク制御チャネル上で搬送されるとともに送信され得ることを理解されたい。受信端については、前述の説明の逆のプロセスであるため、詳細は説明しない。ダウンリンク制御チャネルがPDCCHである場合には、一連の処理は、多重化処理をさらに含む。
【０１９０】
本発明の本実施形態においては、ネットワークサイドは、ダウンリンク制御チャネルを繰り返し送信するたびに、ネットワークサイドは、前述のステップに従って、スクランブルをダウンリンク制御チャネルに対応するダウンリンク制御情報に対して行って必要な処理が行われたダウンリンク制御情報を取得し、必要な処理が行われたダウンリンク制御情報をダウンリンク制御チャネルに付加し、ダウンリンク制御チャネルをUEに送信する。
【０１９１】
ステップ504. UEが、複数の保存されている繰り返し回数のうちの任意の繰り返し回数に関して、ダウンリンク制御チャネルを受信した場合には、UEは、繰り返し回数に対応する処理情報に従って、デスクランブルをダウンリンク制御チャネル上で搬送される必要な処理が行われたダウンリンク制御情報に対して行う。
【０１９２】
処理情報がマスクである場合には、UEによって、繰り返し回数に対応する処理情報に従って、デスクランブルをダウンリンク制御チャネル上で搬送される必要な処理が行われたダウンリンク制御情報に対して行う具体的な処理は、次の通りであり得る。UEは、UEのRNTIおよび繰り返し回数に対応するマスクを獲得し、以下の式(4)を使用して、繰り返し回数に対応するマスクおよびUEのRNTIに従って、デスクランブルを必要な処理が行われたダウンリンク制御情報内のスクランブルされたCRCビットに対して行ってCRCビットを取得する。
【０１９３】
【数７】
0006368028.tif 000008
【０１９４】
処理情報がマスクであるとともにアンテナ選択が設定されている場合には、UEによって、繰り返し回数に対応する処理情報に従って、デスクランブルをダウンリンク制御チャネル上で搬送される必要な処理が行われたダウンリンク制御情報に対して行う具体的な処理は、次の通りであり得る。UEは、繰り返し回数に対応するマスク、UEのRNTI、およびアンテナ選択マスクを獲得し、以下の式(5)を使用して、繰り返し回数に対応するマスク、アンテナマスク、およびUEのRNTIに従って、デスクランブルを必要な処理が行われたダウンリンク制御情報内のスクランブルされたCRCビットに対して行ってCRCビットを取得する。
【０１９５】
【数８】
0006368028.tif 000009
【０１９６】
ステップ505. UEは、ダウンリンク制御チャネル上で搬送されるダウンリンク制御情報に対応するCRCビットに従って、検証をデスクランブルしたダウンリンク制御情報に対して行う。
【０１９７】
特に、UEは、デスクランブルをCRCビットに対して行った後に、ダウンリンク制御情報およびCRCビットを含むビットシーケンスを取得し、生成多項式に対応するビットに従って、バイナリ除算をビットシーケンスに対して行って対応する剰余を取得する、ここで、生成多項式は、ダウンリンク制御チャネル上で搬送されるダウンリンク制御情報に対応するCRCビットに対応している。剰余が0である場合には、検証が成功したと決定され、剰余が0ではない場合には、検証が失敗したと決定される。
【０１９８】
ステップ506. 検証が成功した場合には、UEは、繰り返し回数をダウンリンク制御チャネルの繰り返し回数として決定する。
【０１９９】
さらに、検証が失敗した場合には、前述のステップ504から506を複数の保存されている繰り返し回数のうちの別の繰り返し回数に関して実行して、ダウンリンク制御チャネルの繰り返し回数を決定する。さらに、UEがダウンリンク制御チャネルの繰り返し回数を決定した後に、UEは、対応するダウンリンク制御チャネルの繰り返し回数に従ってデータチャネルの繰り返し回数をダウンリンク制御チャネルの繰り返し回数とデータチャネルの繰り返し回数との間の保存されている対応付けからさらに獲得し得る。データチャネルの繰り返し回数に従って、UEは、ダウンリンクデータチャネルを受信またはアップリンクデータチャネルを送信し得る。
【０２００】
ダウンリンク制御チャネルの繰り返し回数とデータチャネルの繰り返し回数との間の保存されている対応付けは、ネットワークサイドによって送信された、ダウンリンク制御チャネルの繰り返し回数とデータチャネルの繰り返し回数との間の対応付けであり得る。当然のことながら、ダウンリンク制御チャネルの繰り返し回数とデータチャネルの繰り返し回数との間の保存されている対応付けはまた、UEによってプリセットされていてもよい。
【０２０１】
必要に応じて、ネットワークサイドは、ダウンリンク制御チャネルの繰り返し回数の順序に従って、データチャネルの繰り返し回数を獲得してもよい。すなわち、ダウンリンク制御チャネルの繰り返し回数はあらかじめ記憶されており、データチャネルの繰り返し回数はあらかじめ記憶されている、ここで、ダウンリンク制御チャネルの繰り返し回数の順序とデータチャネルの繰り返し回数の順序とは、1対1の対応関係にある。
【０２０２】
本発明の本実施形態においては、スクランブルを、繰り返し回数に対応するスクランブルシーケンスに従って、ダウンリンク制御チャネル上で搬送されるダウンリンク制御情報に対応するCRCビットに対して行って必要な処理が行われたダウンリンク制御情報を取得する。必要な処理が行われたダウンリンク制御情報は、ダウンリンク制御チャネルに付加されて、UEに送信される。UEは、繰り返し回数に対応するスクランブルシーケンスに従って、デスクランブルを必要な処理が行われたダウンリンク制御情報に対して行い、検証をデスクランブルしたダウンリンク制御情報に対して行い、検証が成功した場合には、繰り返し回数をダウンリンク制御チャネルの繰り返し回数として決定する、その結果、ネットワークサイドによって送信された繰り返し回数は、UEによって検出された繰り返し回数と同一になり、さらに、UEは、データチャネルを受信することに成功し得る。UEがデータチャネルを受信することに成功した場合には、UEが割り振られたアップリンク制御リソースに従ってACK/NACKメッセージをネットワークサイドに送信するならば、別のUEのアップリンク制御チャネルが干渉を受けることはない。データチャネルを受信することに成功した後は、UEは、再びデータチャネルを受信することはなくなり、それによって、UEの電力消費およびリソース消費を低減している。
【０２０３】
実施形態6
図6は、本発明の実施形態による、ダウンリンク制御チャネルの繰り返し回数を決定するための方法のフローチャートである。図6を参照すれば、方法は、以下のステップを含む。
【０２０４】
ステップ601. ネットワークサイドは、ダウンリンク制御チャネルの繰り返し回数に従って、繰り返し回数に対応する処理情報を獲得する。
【０２０５】
ネットワークサイドは、任意の1つの以下の3つの方法に従って、繰り返し回数に対応する処理情報を獲得し得る。
【０２０６】
方法1: ネットワークサイドは、ダウンリンク制御チャネルの繰り返し回数に従って、繰り返し回数に関する対応するスクランブル初期化パラメータを設定し、ダウンリンク制御チャネルが現在位置しているタイムスロットの番号およびネットワークサイドによって獲得されたID(Identity、識別)値を獲得し、シーケンスジェネレータがスクランブルシーケンスを生成することができるように、スクランブル初期化パラメータ、ダウンリンク制御チャネルが現在位置しているタイムスロットの番号、およびネットワークサイドによって獲得されたID値に従って、シーケンスジェネレータを初期化し、シーケンスジェネレータによって生成されたスクランブルシーケンスは、繰り返し回数に対応する処理情報として決定される。
【０２０７】
方法2: ネットワークサイドは、ダウンリンク制御チャネルの繰り返し回数に従って、対応するスクランブル初期化パラメータを繰り返し回数とスクランブル初期化パラメータとの間のプリセットされた対応付けから獲得し、ダウンリンク制御チャネルが現在位置しているタイムスロットの番号およびネットワークサイドによって獲得されたID値を獲得し、シーケンスジェネレータがスクランブルシーケンスを生成することができるように、獲得したスクランブル初期化パラメータ、ダウンリンク制御チャネルが現在位置しているタイムスロットの番号、およびネットワークサイドによって獲得されたID値に従って、シーケンスジェネレータを初期化し、シーケンスジェネレータによって生成されたスクランブルシーケンスは、繰り返し回数に対応する処理情報として決定される。
【０２０８】
本発明の本実施形態においては、ダウンリンク制御チャネルがPDCCHである場合には、ID値は、UEが位置しているセルのID値であり、ダウンリンク制御チャネルがEPDCCHである場合には、ID値は、UEの特定のID値である。
【０２０９】
方法3: ネットワークサイドは、ダウンリンク制御チャネルの繰り返し回数に従って、繰り返し回数に関する対応するスクランブル初期化パラメータを設定し、スクランブル初期化パラメータを繰り返し回数に対応する処理情報として決定する。
【０２１０】
さらに、スクランブル初期化パラメータを繰り返し回数に対応する処理情報として決定した後に、ネットワークサイドは、ダウンリンク制御チャネルが現在位置しているタイムスロットの番号およびネットワークサイドによって獲得されたID値を獲得し、シーケンスジェネレータがスクランブルシーケンスを生成することができるように、獲得したスクランブル初期化パラメータ、ダウンリンク制御チャネルが現在位置しているタイムスロットの番号、およびネットワークサイドによって獲得されたID値に従って、シーケンスジェネレータを初期化する。
【０２１１】
必要に応じて、本発明の本実施形態においては、ネットワークサイドはさらに、対応する繰り返しレベルをダウンリンク制御チャネルの繰り返し回数に従って繰り返し回数と繰り返しレベルとの間の保存されている対応付けから獲得し、獲得した繰り返しレベルに従って、繰り返しレベルに対応する処理情報を獲得し、獲得した処理情報を繰り返し回数に対応する処理情報として決定してもよい。
【０２１２】
本発明の本実施形態においては、ダウンリンク制御チャネルは、PDCCHであり得るし、または、EPDCCHであり得る。
【０２１３】
各繰り返しレベルは、繰り返し回数に対応している。例えば、ダウンリンク制御チャネルは、繰り返しレベル1、繰り返しレベル2、および繰り返しレベル3の3つの繰り返しレベルを含む。繰り返しレベル1に対応する繰り返し回数は5であってもよく、繰り返しレベル2に対応する繰り返し回数は10であってもよく、繰り返しレベル3に対応する繰り返し回数は20であってもよい。
【０２１４】
本発明の本実施形態においては、スクランブルシーケンスは、Goldシーケンスであり得る、ここで、Goldシーケンスは、Goldシーケンスジェネレータを使用して生成され得る。ネットワークサイドは、シーケンスジェネレータがスクランブルシーケンスを生成することができるように、スクランブル初期化パラメータ、ダウンリンク制御チャネルが現在位置しているタイムスロットの番号、およびネットワークサイドによって獲得されたID値に従って、シーケンスジェネレータを初期化し得る、ここで、スクランブル初期化パラメータは、繰り返し回数に対応するパラメータを含む。
【０２１５】
ダウンリンク制御チャネルがPDCCHである場合には、ネットワークサイドは、繰り返し回数に対応する繰り返しレベル、ダウンリンク制御チャネルが現在位置しているタイムスロットの番号、およびUEが位置しているセルのID値といったスクランブル初期化パラメータに従って、スクランブル初期設定値を生成し得る。Goldシーケンスジェネレータのスクランブル初期設定値を以下の式(1)に従って計算する。
【０２１６】
【数９】
0006368028.tif 000010
【０２１７】
前述の式(1)においては、cinitはシーケンスジェネレータのスクランブル初期設定値であり、rは繰り返し回数に対応する繰り返しレベルであり、nsはダウンリンク制御チャネルが現在位置しているタイムスロットの番号であり、
【数１０】
0006368028.tif 000011
はUEが位置しているセルのID値である。
【０２１８】
ダウンリンク制御チャネルがEPDCCHチャネルである場合には、スクランブル初期設定値を、繰り返し回数に対応する繰り返しレベル、ダウンリンク制御チャネルが現在位置しているタイムスロットの番号、およびUEが位置しているセルのID値といったスクランブル初期化パラメータに従って生成し得る。Goldシーケンスジェネレータのスクランブル初期設定値を以下の式(2)に従って計算する。
【０２１９】
【数１１】
0006368028.tif 000012
【０２２０】
前述の式(2)においては、cinitはシーケンスジェネレータのスクランブル初期設定値であり、rは繰り返し回数に対応する繰り返しレベルであり、nsはダウンリンク制御チャネルが現在位置しているタイムスロットの番号であり、
【数１２】
0006368028.tif 000013
はネットワークサイドによって設定されたスクランブル初期化パラメータのID値である。
【０２２１】
タイムスロットの番号の値域は0から19であり得るし、本発明の本実施形態におけるID値の値域は0から503であり得る。
【０２２２】
さらに、ネットワークサイドは、UEがスクランブル初期化パラメータに従ってスクランブルシーケンスを生成することができるように、繰り返し回数または対応するスクランブル初期化パラメータをUEに送信し得るし、または、ネットワークサイドは、スクランブル初期化パラメータに従ってシーケンスジェネレータを初期化した後に、生成したスクランブルシーケンスをUEに送信し得る。
【０２２３】
ステップ602. ネットワークサイドは、処理情報に従って、スクランブルをダウンリンク制御情報に対して行って必要な処理が行われたダウンリンク制御情報を取得する。
【０２２４】
特に、ネットワークサイドは、ダウンリンク制御情報に対応するCRCビットを獲得し、ダウンリンク制御情報の後ろに連続して獲得したCRCビットを結合してビットシーケンスを取得し、チャネル符号化をビットシーケンスに対して行って符号化ブロックを取得し、レートマッチング処理を符号化ブロックに対して行ってレートマッチングビットを取得し、シーケンスジェネレータによって生成されたスクランブルシーケンスに従って、スクランブルをレートマッチングビットに対して行って必要な処理が行われたダウンリンク制御情報を取得する。
【０２２５】
ダウンリンク制御チャネルがPDCCHである場合には、スクランブルをレートマッチングビットに対して行って必要な処理が行われたダウンリンク制御情報を取得するステップは、多重化をレートマッチングビットに対して行って多重化されたビットを取得するステップと、スクランブルを多重化されたビットに対して行って必要な処理が行われたダウンリンク制御情報を取得するステップとを含む。
【０２２６】
CRCビットを獲得するための方法は、特に、ダウンリンク制御情報の後ろに連続してk個の0を結合することと、生成多項式に対応するビットによって、後ろに連続して結合されたk個の0を有するダウンリンク制御情報を除算して、対応する剰余を取得することと、剰余をCRCビットとして決定することとであり得る、ここで、除算は、バイナリ除算であり得るし、または、モジュロ2の除算であり得る。本発明の本実施形態においては、kは16であってもよい。
【０２２７】
16ビット生成多項式は、以下の式(3)に従って取得され得る。
gCRC16(D)=[D16+D12+D5+1] (3)
【０２２８】
前述の式(3)においては、gCRC16(D)は生成多項式であり、Dは多項式における対応する指数に対するバイナリ値が1であることを示す。
【０２２９】
生成多項式に対応するビット列は、10001000000100001である。
【０２３０】
シーケンスジェネレータによって生成されたスクランブルシーケンスに従って、スクランブルをレートマッチングビットに対して行って必要な処理が行われたダウンリンク制御情報を取得する具体的な処理は、以下の通りであり得る。
【０２３１】
シーケンスジェネレータは、スクランブルシーケンス(Goldシーケンス)を生成し、すなわち、以下のc(n)である。Goldシーケンスc(n)は、2つのm個のシーケンスから合成され、2つのm個のシーケンスジェネレータによって生成された2つのm個のシーケンスは、以下の式(4)に示したようなx1およびx2である。
【０２３２】
【数１３】
0006368028.tif 000014
【０２３３】
前述の式(4)においては、n=0,1,…,MPN-1である、ここで、MPNは、スクランブル予定のビットブロックの長さ、例えば、レートマッチングビットブロックの長さMbitに対応しているスクランブルシーケンス(Goldシーケンス)の長さであり、Nc=600であるとともに定数であり、第1のm個のシーケンスの初期設定値は定数であり、x1(0)=1、x1(n)=0、n=1,2,…,30であり、第2のm個のシーケンスの初期設定値は、上述したGoldシーケンスのスクランブル初期設定値であり、すなわち、x2(n)=cinit、n=0,…30である。PDCCHについては、
【数１４】
0006368028.tif 000015
であり、EPDCCHについては、
【数１５】
0006368028.tif 000016
である。初期化シーケンスジェネレータは、繰り返し送信されたPDCCHまたはEPDCCHの各サブフレームにおいて行われてもよい。
【０２３４】
その長さがMbitである、スクランブル予定のビットストリングまたはビットシーケンスまたはビットブロックb(0),…,b(Mbit-1)については、変調前に存在するスクランブルされたビットブロックまたはビットブロックは、以下の式(5)に従って、ビット単位でモジュロ2の加算を行うことによって得られる。
【０２３５】
【数１６】
0006368028.tif 000017
【０２３６】
前述の式(5)においては、
【数１７】
0006368028.tif 000018
はスクランブルされたビットブロックまたは変調前に存在するビットブロック内の第i番目のビットであり、c(i)はシーケンスジェネレータによって生成されたスクランブルシーケンス内の第i番目のビットである。
【０２３７】
必要に応じて、初期化シーケンスジェネレータは、繰り返し送信されたPDCCHまたはEPDCCHの開始サブフレームにおいて行われてもよい。この場合には、開始サブフレームの後ろで繰り返されるサブフレームのスクランブル初期設定値は開始サブフレームのスクランブル初期設定値と同一である、すなわち、2つのサブフレームのスクランブルシーケンスは同一である。
【０２３８】
必要に応じて、本発明の本実施形態においては、シーケンスジェネレータを使用せずにスクランブルシーケンスを生成してもよいし、ネットワークサイドは、ダウンリンク制御チャネルの繰り返し回数に関して対応するスクランブルシーケンスを直接設定してもよい。ネットワークサイドがダウンリンク制御チャネルの繰り返し回数に関して対応するスクランブルシーケンスを直接設定した場合には、ネットワークサイドによって、処理情報に従って、スクランブルをダウンリンク制御情報に対して行って必要な処理が行われたダウンリンク制御情報を取得する具体的な処理は、次の通りであり得る。ネットワークサイドは、ダウンリンク制御情報の後ろに連続してCRCビットを結合してビットシーケンスを取得し、チャネル符号化をビットシーケンスに対して行って符号化ブロックを取得し、レートマッチング処理を符号化ブロックに対して行ってレートマッチングビットを取得し、スクランブルおよび変調をレートマッチングビットに対して行って変調したダウンリンク制御情報と繰り返し回数に対応するスクランブルシーケンスとを乗算して、必要な処理が行われたダウンリンク制御情報を取得する。
【０２３９】
変調したダウンリンク制御情報のシンボルシーケンスがd(0),…,d(Msymb-1)であり、繰り返し回数に対応するスクランブルシーケンスがs0(0),…,s0(Msymb-1),…,sr-1(0),…,sr-1(Msymb-1)であると仮定する。ダウンリンク制御情報のシンボルと繰り返し回数に対応するスクランブルシーケンスのシンボルとをビット単位で乗算して、必要な処理が行われたダウンリンク制御情報を取得する。
【０２４０】
繰り返し回数に関してネットワークサイドによって設定されたスクランブルシーケンスは、シーケンス
【数１８】
0006368028.tif 000019
の周期的拡張であり得る。
【０２４１】
必要に応じて、本発明の本実施形態においては、ネットワークサイドが繰り返し回数に関してスクランブルシーケンスを直接設定した場合には、ネットワークサイドは、スクランブルシーケンスの値を使用して、スクランブルをダウンリンク制御チャネルを繰り返し送信するために使用される各サブフレームに対して行ってもよい。値は、サブフレーム内の各シンボルに対するスクランブルに適用される、すなわち、乗算演算は、サブフレーム内の各シンボルに対して行われる。例えば、繰り返し回数に対応するサブフレームグループ内のサブフレームの数量は4であり、サブフレームグループ内のサブフレームのスクランブルシーケンスは{1,1,1,1}であり、スクランブルシーケンス内の各値はサブフレーム内のスクランブル値に対応している。スクランブルをサブフレームに対して実施するために、乗算演算をスクランブル値およびサブフレーム内の各シンボルに対して行う。例えば、繰り返し回数に対応するサブフレームグループ内のサブフレームの数量は8であり、サブフレームグループ内のサブフレームのスクランブルシーケンスは{1,-1,1,-1,1,-1,1,-1}であり、スクランブルシーケンス内の各値はサブフレーム内のスクランブル値に対応している。スクランブルをサブフレームに対して実施するために、乗算演算をスクランブル値およびサブフレーム内の各シンボルに対して行う。例えば、繰り返し回数に対応するサブフレームグループ内のサブフレームの数量は16であり、サブフレームグループ内のサブフレームのスクランブルシーケンスは{-1,1,-1,1,-1,1,-1,1,-1,1,-1,1,-1,1}であり、スクランブルシーケンス内の各値はサブフレーム内のスクランブル値に対応している。スクランブルをサブフレームに対して実施するために、乗算演算をスクランブル値およびサブフレーム内の各シンボルに対して行う。
【０２４２】
ステップ603: 必要な処理が行われたダウンリンク制御情報をダウンリンク制御チャネルに付加して、ダウンリンク制御チャネルをUEに送信する。
【０２４３】
ネットワークサイドが必要な処理が行われたダウンリンク制御情報をダウンリンク制御チャネルに付加する場合には、必要な処理が行われたダウンリンク制御情報は、ネットワークサイドが一連の処理をダウンリンク制御情報に対して行った後に取得されることに留意されたい。一連の処理は、CRC付加、CRCスクランブル、符号化、レートマッチング、スクランブル、変調、レイヤマッピング、プリコーディング、リソースマッピング、およびOFDM(Orthogonal Frequency Division Multiplex、直交周波数分割多重方式)シンボル生成を含む処理の一部またはすべてであり得る。必要な処理が行われたダウンリンク制御情報がダウンリンク制御チャネル上で搬送されるとともに送信され得ることを理解されたい。受信端については、前述の説明の逆のプロセスであるため、詳細は説明しない。ダウンリンク制御チャネルがPDCCHである場合には、一連の処理は、多重化処理をさらに含む。
【０２４４】
本発明の本実施形態においては、ネットワークサイドは、ダウンリンク制御チャネルを繰り返し送信するたびに、ネットワークサイドは、前述のステップに従って、スクランブルをダウンリンク制御チャネルに対応するダウンリンク制御情報に対して行って必要な処理が行われたダウンリンク制御情報を取得し、必要な処理が行われたダウンリンク制御情報をダウンリンク制御チャネルに付加し、ダウンリンク制御チャネルをUEに送信する。
【０２４５】
ステップ604. UEが、複数の保存されている繰り返し回数のうちの任意の繰り返し回数に関して、ダウンリンク制御チャネルを受信した場合には、UEは、繰り返し回数に対応する処理情報に従って、デスクランブルをダウンリンク制御チャネル上で搬送される必要な処理が行われたダウンリンク制御情報に対して行う。
【０２４６】
ネットワークサイドがシーケンスジェネレータによって生成されたスクランブルシーケンスをUEに送信する場合には、UEは、受信したスクランブルシーケンスに従って、デスクランブルをダウンリンク制御チャネル上で搬送される必要な処理が行われたダウンリンク制御情報に対して行い得る。ネットワークサイドが繰り返し回数に対応するスクランブルシーケンスをUEに送信しなかった場合には、UEによって、繰り返し回数に対応する処理情報に従って、デスクランブルをダウンリンク制御チャネル上で搬送される必要な処理が行われたダウンリンク制御情報に対して行う具体的な処理は、次の通りであり得る。UEは、シーケンスジェネレータがスクランブルシーケンスを生成することができるように、繰り返し回数に対応するスクランブル初期化パラメータに従って、シーケンスジェネレータを初期化すし、UEは、スクランブルシーケンスに従って、デスクランブルをダウンリンク制御チャネル上で搬送される必要な処理が行われたダウンリンク制御情報に対して行う。
【０２４７】
UEによって、繰り返し回数に従って、対応するスクランブル初期化パラメータを獲得する方法は、以下の2つのケースのいずれかであり得る。
【０２４８】
ケース1: ネットワークサイドによって送信された繰り返し回数およびスクランブル初期化パラメータを受信した後に、繰り返し回数とスクランブル初期化パラメータとの間の対応付けを記憶し、対応するスクランブル初期化パラメータを、繰り返し回数に従って、繰り返し回数とスクランブル初期化パラメータとの間の保存されている対応付けから獲得する。
【０２４９】
ケース2: 繰り返し回数に対応するスクランブル初期化パラメータを前述のステップ601における方法に従って計算する。
【０２５０】
UEによって、スクランブルシーケンスに従って、デスクランブルをダウンリンク制御チャネル上で搬送される必要な処理が行われたダウンリンク制御情報に対して行う具体的な処理は、以下の通りであり得る。
【０２５１】
シーケンスジェネレータは、スクランブルシーケンス(Goldシーケンス)、すなわち、以下のc(n)を生成する。Goldシーケンスc(n)は、2つのm個のシーケンスから合成され、2つのm個のシーケンスジェネレータによって生成された2つのm個のシーケンスは、以下の式(6)に示したようなx1およびx2である。
【０２５２】
【数１９】
0006368028.tif 000020
【０２５３】
前述の式(6)においては、n=0,1,…,MPN-1である、ここで、MPNは、スクランブル予定のビットブロックの長さ、例えば、レートマッチングビットブロックの長さMbitに対応しているスクランブルシーケンス(Goldシーケンス)の長さであり、Nc=600であるとともに定数であり、第1のm個のシーケンスの初期設定値は定数であり、x1(0)=1、x1(n)=0、n=1,2,…,30であり、第2のm個のシーケンスの初期設定値は、上述したGoldシーケンスのスクランブル初期設定値であり、PDCCHについては、
【数２０】
0006368028.tif 000021
であり、PDCCHのスクランブル初期化パラメータは、繰り返し回数または繰り返しレベルに対応するr、タイムスロット番号、およびセルIDを含み、EPDCCHについては、
【数２１】
0006368028.tif 000022
であり、EPDCCHのスクランブル初期化パラメータは、繰り返し回数または繰り返しレベルに対応するr、タイムスロット番号、およびセルIDを含む。初期化シーケンスジェネレータは、繰り返し送信されたPDCCHまたはEPDCCHの各サブフレームにおいて行われてもよい。
【０２５４】
その長さがMbitである、スクランブルされたビットストリングまたはビットシーケンスまたはビットブロックについては、デスクランブルしたビットブロックは、以下の式(7)に従って、ビット単位でモジュロ2の加算を行うことによって得られる。
【０２５５】
【数２２】
0006368028.tif 000023
【０２５６】
必要に応じて、初期化シーケンスジェネレータは、繰り返し送信されたPDCCHまたはEPDCCHの開始サブフレームにおいて行われてもよい。この場合には、開始サブフレームの後ろで繰り返されるサブフレームのスクランブル初期設定値は開始サブフレームのスクランブル初期設定値と同一である、すなわち、2つのサブフレームのスクランブルシーケンスは同一である。
【０２５７】
さらに、繰り返し回数に対応するスクランブルシーケンスが、シーケンスジェネレータによって生成されず、ネットワークサイドによって直接設定されている場合には、繰り返し回数に関して、ネットワークサイドによって、スクランブルシーケンスに従って、デスクランブルをダウンリンク制御チャネル上で搬送される必要な処理が行われたダウンリンク制御情報に対して行う具体的な処理は、次の通りであり得る。ネットワークサイドは、ダウンリンク制御チャネル上で搬送される必要な処理が行われたダウンリンク制御情報に対応するシンボルと繰り返し回数に対応するスクランブルシーケンスとをビット単位で乗算して、変調したダウンリンク制御情報を取得する。
【０２５８】
ステップ605. UEは、ダウンリンク制御チャネル上で搬送されるダウンリンク制御情報に対応するCRCビットに従って、検証をデスクランブルしたダウンリンク制御情報に対して行う。
【０２５９】
特に、デスクランブルしたダウンリンク制御情報がレートマッチングビットである場合には、UEは、レートデマッチングをレートマッチングビットに対して行って符号化ブロックを取得し、復号を符号化ブロックに対して行ってビットシーケンスを取得し、生成多項式に対応するビットに従って、バイナリ除算をビットシーケンスに対して行って対応する剰余を取得する、ここで、生成多項式は、ダウンリンク制御チャネル上で搬送されるダウンリンク制御情報に対応するCRCビットに対応している。剰余が0である場合には、検証が成功したと決定され、剰余が0ではない場合には、検証が失敗したと決定される。
【０２６０】
さらに、デスクランブルしたダウンリンク制御情報が変調したダウンリンク制御情報である場合には、UEは、復調を変調したダウンリンク制御情報に対して行ってレートマッチングビットを取得する。UEは、レートデマッチングをレートマッチングビットに対して行って符号化ブロックを取得し、復号を符号化ブロックに対して行ってビットシーケンスを取得し、生成多項式に対応するビットに従って、バイナリ除算をビットシーケンスに対して行って対応する剰余を取得する、ここで、生成多項式は、ダウンリンク制御チャネル上で搬送されるダウンリンク制御情報に対応するCRCビットに対応している。剰余が0である場合には、検証が成功したと決定され、剰余が0ではない場合には、検証が失敗したと決定される。
【０２６１】
ステップ606. 検証が成功した場合には、UEは、繰り返し回数をダウンリンク制御チャネルの繰り返し回数として決定する。
【０２６２】
さらに、検証が失敗した場合には、複数の保存されている繰り返し回数のうちの別の繰り返し回数に関して、前述のステップ604から606を実行してダウンリンク制御チャネルの繰り返し回数を決定する。
【０２６３】
さらに、UEがダウンリンク制御チャネルの繰り返し回数を決定した後に、UEは、対応するダウンリンク制御チャネルの繰り返し回数に従ってデータチャネルの繰り返し回数をダウンリンク制御チャネルの繰り返し回数とデータチャネルの繰り返し回数との間の保存されている対応付けからさらに獲得し得る。データチャネルの繰り返し回数に従って、UEは、ダウンリンクデータチャネルを受信またはアップリンクデータチャネルを送信し得る。
【０２６４】
ダウンリンク制御チャネルの繰り返し回数とデータチャネルの繰り返し回数との間の保存されている対応付けは、ネットワークサイドによって送信された、ダウンリンク制御チャネルの繰り返し回数とデータチャネルの繰り返し回数との間の対応付けであり得る。当然のことながら、ダウンリンク制御チャネルの繰り返し回数とデータチャネルの繰り返し回数との間の保存されている対応付けはまた、UEによってプリセットされていてもよい。
【０２６５】
必要に応じて、ネットワークサイドは、ダウンリンク制御チャネルの繰り返し回数の順序に従って、データチャネルの繰り返し回数を獲得してもよい。すなわち、ダウンリンク制御チャネルの繰り返し回数はあらかじめ記憶されており、データチャネルの繰り返し回数はあらかじめ記憶されている、ここで、ダウンリンク制御チャネルの繰り返し回数の順序とデータチャネルの繰り返し回数の順序とは、1対1の対応関係にある。
【０２６６】
本発明の本実施形態においては、CRCビットを、ダウンリンク制御情報の後ろに連続して結合してビットシーケンスを取得し、チャネル符号化を、ビットシーケンスに対して行って符号化ブロックを取得し、レートマッチング処理を、符号化ブロックに対して行ってレートマッチングビットを取得する。スクランブルを繰り返し回数に対応するスクランブルシーケンスに従って、レートマッチングビットに対して行って必要な処理が行われたダウンリンク制御情報を取得する。必要な処理が行われたダウンリンク制御情報は、ダウンリンク制御チャネルに付加されて、UEに送信される。UEは、繰り返し回数に対応するスクランブルシーケンスに従って、デスクランブルを必要な処理が行われたダウンリンク制御情報に対して行い、検証をデスクランブルしたダウンリンク制御情報に対して行い、検証が成功した場合には、繰り返し回数をダウンリンク制御チャネルの繰り返し回数として決定する、その結果、ネットワークサイドによって送信された繰り返し回数は、UEによって検出された繰り返し回数と同一になり、さらに、UEは、データチャネルを受信することに成功し得る。UEがデータチャネルを受信することに成功した場合には、UEが割り振られたアップリンク制御リソースに従ってACK/NACKメッセージをネットワークサイドに送信するならば、別のUEのアップリンク制御チャネルが干渉を受けることはない。データチャネルを受信することに成功した後は、UEは、再びデータチャネルを受信することはなくなり、それによって、UEの電力消費およびリソース消費を低減している。
【０２６７】
実施形態7
図7は、本発明の実施形態による、ダウンリンク制御チャネルの繰り返し回数を決定するための方法のフローチャートである。図7を参照すれば、方法は、以下のステップを含む。
【０２６８】
ステップ701. ネットワークサイドは、繰り返し回数に関する指示ビットを獲得する。
【０２６９】
指示ビットは、新たに追加されたビットであり得るし、または、既存のビットであり得る。指示ビットが既存のビットである場合には、既存のビットは、キャリア指示ビット、冗長バージョン指示ビット、アップリンクインデックスビット、ダウンリンク割り振りビット、チャネル状態情報要求ビット、または電力制御コマンドビットであり得る。キャリア指示ビットは3ビットを含み、冗長バージョン指示ビットは2ビットを含み、アップリンクインデックスビットは2ビットを含み、ダウンリンク割り振りビットは2ビットを含み、チャネル状態情報要求ビットは1ビットまたは2ビットを含み、電力制御コマンドビットは2ビットを含む。
【０２７０】
指示ビットが2ビットを含む場合には、指示ビットが示すことができる最大繰り返し回数は4である。指示ビットが3ビットを含む場合には、指示ビットが示すことができる最大繰り返し回数は8である。
【０２７１】
指示ビットは、いくつかの繰り返し回数のみを示すために使用され得る。必要に応じて、本発明の本実施形態においては、指示ビットは、繰り返しレベルを示すためにさらに使用され得る。繰り返しレベルを指示ビットに従って決定し、対応する繰り返しレベルを、繰り返しレベルに従って、繰り返し回数と繰り返しレベルとの間の保存されている対応付けから獲得する。例えば、指示ビットが2ビットを含む場合には、指示ビットが示すことができる最大繰り返しレベルは4であり、各繰り返しレベルは、繰り返し回数に対応している。指示ビットが3ビットを含む場合には、指示ビットが示すことができる最大繰り返しレベルは8であり、各繰り返しレベルは、繰り返し回数に対応している。
【０２７２】
ステップ702. ネットワークサイドは、繰り返し回数を示すために、ダウンリンク制御チャネルの繰り返し回数に従って指示ビットを設定する。
【０２７３】
特に、指示ビットが繰り返し回数を示す場合には、指示ビットは、繰り返し回数に従って、設定される。指示ビットが繰り返しレベルを示す場合には、ネットワークサイドは、対応する繰り返しレベルをダウンリンク制御チャネルの繰り返し回数に従って繰り返し回数と繰り返しレベルとの間の保存されている対応付けから獲得し、獲得した繰り返しレベルに従って、指示ビットを設定する。
【０２７４】
ステップ703. ネットワークサイドは、指示ビットを搬送するダウンリンク制御情報をダウンリンク制御チャネルに付加して、ダウンリンク制御チャネルをUEに送信する。
【０２７５】
ステップ704. ダウンリンク制御チャネルを受信した場合には、UEは、ダウンリンク制御チャネル上で搬送されるダウンリンク制御情報内の指示ビットを獲得する。
【０２７６】
ステップ705. UEは、指示ビットに従って、ダウンリンク制御チャネルの繰り返し回数を決定する。
【０２７７】
特に、指示ビットが繰り返し回数を示す場合には、UEは、指示ビットに対応する値に従って、対応する繰り返し回数を値と繰り返し回数との間の保存されている対応付けから獲得し、獲得した繰り返し回数をダウンリンク制御チャネルの繰り返し回数として決定する。
【０２７８】
さらに、指示ビットが繰り返しレベルを示す場合には、UEは、指示ビットに対応する値に従って、対応する繰り返しレベルを値と繰り返しレベルとの間の保存されている対応付けから獲得し、獲得した繰り返しレベルをダウンリンク制御チャネルの繰り返しレベルとして決定し、ダウンリンク制御チャネルの繰り返しレベルに従って、対応する繰り返し回数を繰り返しレベルと繰り返し回数との間の保存されている対応付けから獲得する。
【０２７９】
さらに、UEがダウンリンク制御チャネルの繰り返し回数を決定した後に、UEは、対応するダウンリンク制御チャネルの繰り返し回数に従ってデータチャネルの繰り返し回数をダウンリンク制御チャネルの繰り返し回数とデータチャネルの繰り返し回数との間の保存されている対応付けからさらに獲得し得る。データチャネルの繰り返し回数に従って、UEは、ダウンリンクデータチャネルを受信またはアップリンクデータチャネルを送信し得る。
【０２８０】
ダウンリンク制御チャネルの繰り返し回数とデータチャネルの繰り返し回数との間の保存されている対応付けは、ネットワークサイドによって送信された、ダウンリンク制御チャネルの繰り返し回数とデータチャネルの繰り返し回数との間の対応付けであり得る。当然のことながら、ダウンリンク制御チャネルの繰り返し回数とデータチャネルの繰り返し回数との間の保存されている対応付けはまた、UEによってプリセットされていてもよい。
【０２８１】
必要に応じて、ネットワークサイドは、ダウンリンク制御チャネルの繰り返し回数の順序に従って、データチャネルの繰り返し回数を獲得してもよい。すなわち、ダウンリンク制御チャネルの繰り返し回数はあらかじめ記憶されており、データチャネルの繰り返し回数はあらかじめ記憶されている、ここで、ダウンリンク制御チャネルの繰り返し回数の順序とデータチャネルの繰り返し回数の順序とは、1対1の対応関係にある。
【０２８２】
本発明の本実施形態においては、ダウンリンク制御チャネルの繰り返し回数は、指示ビットに従って示され、指示ビットは、UEに送信される。UEが指示ビットに従って、指示ビットを受信する場合には、UEは、ダウンリンク制御チャネルの繰り返し回数を決定する、その結果、ネットワークサイドによって送信された繰り返し回数は、UEによって検出された繰り返し回数と同一になり、さらに、UEは、データチャネルを受信することに成功し得る。UEがデータチャネルを受信することに成功した場合には、UEが割り振られたアップリンク制御リソースに従ってACK/NACKメッセージをネットワークサイドに送信するならば、別のUEのアップリンク制御チャネルが干渉を受けることはない。データチャネルを受信することに成功した後は、UEは、再びデータチャネルを受信することはなくなり、それによって、UEの電力消費およびリソース消費を低減している。
【０２８３】
実施形態8
図8は、本発明の実施形態による、ダウンリンク制御チャネルの繰り返し回数を決定するための方法のフローチャートである。図8を参照すれば、方法は、以下のステップを含む。
【０２８４】
ステップ801. ネットワークサイドは、ダウンリンク制御チャネルの繰り返し回数に従って、繰り返し回数に対応する周波数領域リソースを獲得する、ここで、周波数領域リソースは、候補ロケーションまたはダウンリンク制御チャネルの探索領域である。
【０２８５】
異なる繰り返し回数の検出における曖昧性の問題を回避するために、本発明の本実施形態においては、ダウンリンク制御チャネルは、周波数分割方式で送信される、すなわち、異なる繰り返し回数は、異なる周波数領域リソースを使用する。本発明の本実施形態においては、異なる直交周波数領域リソースは、異なる繰り返し回数に割り振られ得るし、または、1つまたは複数の重複部分を有する周波数領域リソースは、異なる繰り返し回数に割り振られ得る。
【０２８６】
異なる周波数領域リソースは、異なる候補ロケーションまたは異なる探索領域であり得る。異なる候補ロケーションを重複させなくても部分的に重複させてもよい。異なる候補ロケーションが直交である場合には、候補ロケーションは重複されず、異なる候補ロケーションが部分的に直交している場合には、候補ロケーションは部分的に重複する。
【０２８７】
ネットワークサイドは、複数の繰り返し回数をダウンリンク制御チャネルに対してプリセットし、対応する周波数領域リソースを各繰り返し回数に対して設定する。加えて、本発明の本実施形態においては、ネットワークサイドは、対応する繰り返しレベルをダウンリンク制御チャネルの繰り返し回数に従って繰り返し回数と繰り返しレベルとの間の保存されている対応付けからさらに獲得してもよい。各繰り返しレベルは、繰り返し回数に対応している。例えば、ダウンリンク制御チャネルは、繰り返しレベル1、繰り返しレベル2、および繰り返しレベル3の3つの繰り返しレベルを含む。繰り返しレベル1に対応する繰り返し回数は5であってもよく、繰り返しレベル2に対応する繰り返し回数は10であってもよく、繰り返しレベル3に対応する繰り返し回数は20であってもよい。3つの繰り返しレベルの各々によって使用されるアグリゲーションレベルが8である場合には、探索領域は、候補ロケーションを2つだけ有する。したがって、図9に示したように、3つの繰り返しレベルの候補ロケーションは、部分的に重複していてもよい。
【０２８８】
異なる繰り返し回数は、異なる候補ロケーションならびに異なる探索領域を使用し、異なる候補は、同一の探索領域内の異なる候補ロケーションであり得るし、または、異なる探索領域内の候補ロケーションであり得る。異なる繰り返し回数が異なる探索領域にある場合には、オフセットが、異なる探索領域の間に存在する。例えば、オフセットは、r・M(L)であってもよい、ここで、rは、繰り返しレベルの量の数であり、例えば、繰り返しレベルが繰り返しレベル1である場合には、rは、1であってもよく、M(L)は、探索領域においてUEが監視する必要があるダウンリンク制御チャネルの候補ロケーションの数量である。
【０２８９】
繰り返し回数と繰り返しレベルとの間の対応付けは、ネットワークサイドによってプリセットされている。
【０２９０】
本発明の本実施形態においては、ダウンリンク制御チャネルは、PDCCH(Physical Downlink Control Channel、物理ダウンリンク制御チャネル)であり得るし、または、E-PDCCH(Enhanced Physical Downlink Control Channel、進化型物理ダウンリンク制御チャネル)であり得る。
【０２９１】
各繰り返しレベルは、繰り返し回数に対応している。例えば、ダウンリンク制御チャネルは、繰り返しレベル1、繰り返しレベル2、および繰り返しレベル3の3つの繰り返しレベルを含む。繰り返しレベル1に対応する繰り返し回数は5であってもよく、繰り返しレベル2に対応する繰り返し回数は10であってもよく、繰り返しレベル3に対応する繰り返し回数は20であってもよい。
【０２９２】
ダウンリンク制御チャネルがPDCCHである場合には、ダウンリンク制御チャネルを送信するために使用されるCCE(Control Channel Element、制御チャネル要素)のアグリゲーションレベル、PDCCHの探索領域の開始ロケーションパラメータ、繰り返しレベルの量の数、候補ロケーションの数量、候補ロケーション、およびサブフレームの制御エリアに含まれるCCEの数量に従って、ネットワークサイドは、以下の式(1)を使用して、CCEの数を計算する。
【０２９３】
【数２３】
0006368028.tif 000024
【０２９４】
前述の式(1)においては、Lはダウンリンク制御チャネルを送信するために使用されるCCEのアグリゲーションレベルであり、YkはPDCCHの探索領域の開始ロケーションパラメータであり、rは繰り返しレベルの量の数であり、mは候補ロケーションであり、M(L)は所与の探索領域においてUEが監視する必要があるPDCCHの候補ロケーションの数量、modはモジュロ演算であり、NCCE,kはサブフレームkの制御エリアに含まれるCCEの数量である、ここで、i=0,…,L-1であり、m=0,…,M(L)-1である。Ykについては、共通の探索領域においてはYk=0またはUEの専用の探索領域においてはYk=(A・Yk-1) mod Dである、ここで、Y-1=NRNTI≠0であり、A=39827であり、D=65537であり、
【数２４】
0006368028.tif 000025
であり、nsは無線フレーム内のタイムスロット番号であり、タイムスロット番号の値域は0から19であり、nRNTIはUEがネットワークに最初にアクセスした場合にネットワークサイドによって設定される、または、プリセットされた値である、または、プリセットされたルールに従って生成された値である。
【０２９５】
ダウンリンク制御チャネルがEPDCCHである場合には、ダウンリンク制御チャネルを送信するために使用されるECCE(Enhanced Control Channel Element、進化型制御チャネル要素)のアグリゲーションレベル、EPDCCHの探索領域の開始ロケーションパラメータ、候補ロケーションの数量、候補ロケーション、およびサブフレームの制御エリアに含まれるECCEの数量に従って、ネットワークサイドは、以下の式(2)を使用して、ECCEの数を計算する。
【０２９６】
【数２５】
0006368028.tif 000026
【０２９７】
前述の式(2)においては、Lはダウンリンク制御チャネルを送信するために使用されるECCEのアグリゲーションレベルであり、Yp,kはEPDCCHの探索領域の開始ロケーションパラメータであり、mは候補ロケーションであり、sは自然数であるとともに繰り返しレベルの量の数であり得るし、Mp(L)はEPDCCH-PRB(Physical Resource Block、物理リソースブロック)セットがpであるとともにアグリゲーションレベルがLである場合にUEが監視する必要があるEPDCCHの候補ロケーションの数量であり、modはモジュロ演算であり、NECCE,p,kはサブフレームkのEPDCCH-PRBセットpに含まれるECCEの数量である、ここで、i=0,…,L-1であり、m=0,…,Mp(L)-1である。Yp,k=(Ap・Yp,k-i) mod Dである、ここで、Yp,-1=nRNTI≠0であり、A0=39827であり、A1=39829であり、D=65537であり、
【数２６】
0006368028.tif 000027
であり、nsは無線フレーム内のタイムスロット番号であり、タイムスロット番号の値域は0から19であり、nRNTIはUEがネットワークに最初にアクセスした場合にネットワークサイドによって設定される、または、プリセットされた値である、または、プリセットされたルールに従って生成された値である。
【０２９８】
ステップ802. ネットワークサイドは、ダウンリンク制御情報をダウンリンク制御チャネルに付加して、ダウンリンク制御チャネルを獲得した周波数領域リソースに付加する。
【０２９９】
ステップ803. ネットワークサイドは、獲得した周波数領域リソース上で、ダウンリンク制御チャネルをUEに送信する。
【０３００】
ステップ804. ダウンリンク制御チャネルを、複数の保存されている繰り返し回数のうちの任意の繰り返し回数に関して、受信した場合には、UEは、繰り返し回数に対応する周波数領域リソースに従って、検出をダウンリンク制御情報に対して行う。
【０３０１】
特に、ダウンリンク制御チャネルを、複数の保存されている繰り返し回数のうちの任意の繰り返し回数に関して、受信した場合には、UEは、繰り返し回数に対応する周波数領域リソースに従って、ダウンリンク制御チャネルを獲得し、獲得したダウンリンク制御チャネルから、ダウンリンク制御情報およびダウンリンク制御情報に対応するCRCビットを獲得して、ビットシーケンスを取得し、生成多項式に対応するビットに従って、バイナリ除算をビットシーケンスに対して行って対応する剰余を取得する、ここで、生成多項式は、ダウンリンク制御チャネル上で搬送されるダウンリンク制御情報に対応するCRCビットに対応している。剰余が0である場合には、検証が成功したと決定され、剰余が0ではない場合には、検証が失敗したと決定される。
【０３０２】
ステップ805. 検出が成功した場合には、UEは、繰り返し回数をダウンリンク制御チャネルの繰り返し回数として決定する。
【０３０３】
さらに、検証が失敗した場合には、複数の保存されている繰り返し回数のうちの別の繰り返し回数に関して、前述のステップ804から805を実行してダウンリンク制御チャネルの繰り返し回数を決定する。
【０３０４】
さらに、UEがダウンリンク制御チャネルの繰り返し回数を決定した後に、UEは、対応するダウンリンク制御チャネルの繰り返し回数に従ってデータチャネルの繰り返し回数をダウンリンク制御チャネルの繰り返し回数とデータチャネルの繰り返し回数との間の保存されている対応付けからさらに獲得し得る。データチャネルの繰り返し回数に従って、UEは、ダウンリンクデータチャネルを受信またはアップリンクデータチャネルを送信し得る。
【０３０５】
ダウンリンク制御チャネルの繰り返し回数とデータチャネルの繰り返し回数との間の保存されている対応付けは、ネットワークサイドによって送信された、ダウンリンク制御チャネルの繰り返し回数とデータチャネルの繰り返し回数との間の対応付けであり得る。当然のことながら、ダウンリンク制御チャネルの繰り返し回数とデータチャネルの繰り返し回数との間の保存されている対応付けはまた、UEによってプリセットされていてもよい。
【０３０６】
必要に応じて、ネットワークサイドは、ダウンリンク制御チャネルの繰り返し回数の順序に従って、データチャネルの繰り返し回数を獲得してもよい。すなわち、ダウンリンク制御チャネルの繰り返し回数はあらかじめ記憶されており、データチャネルの繰り返し回数はあらかじめ記憶されている、ここで、ダウンリンク制御チャネルの繰り返し回数の順序とデータチャネルの繰り返し回数の順序とは、1対1の対応関係にある。
【０３０７】
本発明の本実施形態においては、異なる周波数領域リソースが異なる繰り返し回数に設定され、ダウンリンク制御チャネルは周波数領域リソース上で送信される。UEは、繰り返し回数に対応する周波数領域リソースに従って、ダウンリンク制御情報を獲得し、検証を獲得したダウンリンク制御情報に対して行い、検証が成功した場合には、繰り返し回数をダウンリンク制御チャネルの繰り返し回数として決定する、その結果、ネットワークサイドによって送信された繰り返し回数は、UEによって検出された繰り返し回数と同一になり、さらに、UEは、データチャネルを受信することに成功し得る。UEがデータチャネルを受信することに成功した場合には、UEが割り振られたアップリンク制御リソースに従ってACK/NACKメッセージをネットワークサイドに送信するならば、別のUEのアップリンク制御チャネルが干渉を受けることはない。データチャネルを受信することに成功した後は、UEは、再びデータチャネルを受信することはなくなり、それによって、UEの電力消費およびリソース消費を低減している。
【０３０８】
実施形態9
図10は、本発明の実施形態による、ダウンリンク制御チャネルの繰り返し回数を決定するための方法のフローチャートである。図10を参照すれば、方法は、以下のステップを含む。
【０３０９】
ステップ1001. ネットワークサイドは、ダウンリンク制御チャネルの繰り返し回数に従って、対応する設定シグナリングメッセージを生成する、ここで、設定シグナリングメッセージは、繰り返し回数を搬送する。
【０３１０】
シグナリングメッセージの実効時間は、プリセットされており、UEが、設定シグナリングメッセージに従って、プリセットされた実効時間後に送信されるPDCCHまたはEPDCCHの繰り返し回数獲得することができるように、ネットワークサイドは、プリセットされた実効時間後にPDCCHまたはEPDCCHを繰り返し送信する。
【０３１１】
設定シグナリングメッセージは、RRC(Radio Resource Control、無線リソース制御)メッセージまたはMAC CE(Media Access Control Channel Element、媒体アクセス制御要素)メッセージであり得る。
【０３１２】
ステップ1002. ネットワークサイドは、設定シグナリングメッセージをUEに送信する。
【０３１３】
さらに、ネットワークサイドが設定シグナリングメッセージをUEに送信する場合には、ネットワークサイドは、時間計測を開始する。プリセットされた実効時間が完了した場合には、ネットワークサイドは、繰り返し回数に従って、ダウンリンク制御情報をダウンリンク制御チャネルに付加して、ダウンリンク制御チャネルをUEに送信する。
【０３１４】
ステップ1003. UEが設定シグナリングメッセージを受信した場合には、UEは、設定シグナリングメッセージに従って、プリセットされた実効時間後の、ダウンリンク制御チャネルについての、繰り返し回数を決定する。
【０３１５】
特に、UEが設定シグナリングメッセージを受信する場合には、UEは、設定シグナリングメッセージにおいて搬送された繰り返し回数を獲得し、プリセットされた実効時間に従って、獲得した繰り返し回数を、プリセットされた時間後の、受信したダウンリンク制御チャネルについての、繰り返し回数として決定する。
【０３１６】
さらに、UEが設定シグナリングメッセージを受信する場合には、UEは、時間計測を開始し、実効時間が満了した場合には、UEは、実効時間に従って、受信したダウンリンク制御チャネルの繰り返し回数を決定する。
【０３１７】
さらに、UEがダウンリンク制御チャネルの繰り返し回数を決定した後に、UEは、対応するダウンリンク制御チャネルの繰り返し回数に従ってデータチャネルの繰り返し回数をダウンリンク制御チャネルの繰り返し回数とデータチャネルの繰り返し回数との間の保存されている対応付けからさらに獲得し得る。データチャネルの繰り返し回数に従って、UEは、ダウンリンクデータチャネルを受信またはアップリンクデータチャネルを送信し得る。
【０３１８】
ダウンリンク制御チャネルの繰り返し回数とデータチャネルの繰り返し回数との間の保存されている対応付けは、ネットワークサイドによって送信された、ダウンリンク制御チャネルの繰り返し回数とデータチャネルの繰り返し回数との間の対応付けであり得る。当然のことながら、ダウンリンク制御チャネルの繰り返し回数とデータチャネルの繰り返し回数との間の保存されている対応付けはまた、UEによってプリセットされていてもよい。
【０３１９】
必要に応じて、ネットワークサイドは、ダウンリンク制御チャネルの繰り返し回数の順序に従って、データチャネルの繰り返し回数を獲得してもよい。すなわち、ダウンリンク制御チャネルの繰り返し回数はあらかじめ記憶されており、データチャネルの繰り返し回数はあらかじめ記憶されている、ここで、ダウンリンク制御チャネルの繰り返し回数の順序とデータチャネルの繰り返し回数の順序とは、1対1の対応関係にある。
【０３２０】
本発明の本実施形態においては、ダウンリンク制御チャネルの繰り返し回数は、設定シグナリングメッセージにおいて搬送される。設定シグナリングメッセージを受信する場合には、UEは、プリセットされた実効時間に従って、プリセットされた実効時間後の、受信したダウンリンク制御チャネルの、繰り返し回数を決定する、その結果、ネットワークサイドによって送信された繰り返し回数は、UEによって検出された繰り返し回数と同一になり、さらに、UEは、データチャネルを受信することに成功し得る。UEがデータチャネルを受信することに成功した場合には、ネットワークサイドは、UEがACK/NACKメッセージをネットワークサイドに送信する際に別のUEのアップリンク制御チャネルが干渉を受けることがないように、アップリンク制御チャネルをUEに割り振る。データチャネルを受信することに成功した後は、UEは、再びデータチャネルを受信することはなくなり、それによって、UEの電力消費を低減している。
【０３２１】
実施形態10
図11は、本発明の実施形態による、ダウンリンク制御チャネルの繰り返し回数を決定するための方法のフローチャートである。図11を参照すれば、方法は、以下のステップを含む。
【０３２２】
ステップ1101. ネットワークサイドは、ダウンリンク制御チャネルの繰り返し回数に従って、繰り返し回数に対応するサブフレームセットを獲得する。
【０３２３】
特に、ネットワークサイドは、ダウンリンク制御チャネルの繰り返し回数に従って、対応するサブフレームセットを繰り返し回数とサブフレームセットとの間の保存されている対応付けから獲得し、獲得したサブフレームセットを繰り返し回数に対応するサブフレームセットとして決定する。
【０３２４】
ネットワークサイドは、異なるサブフレームセットを異なる繰り返し回数にあらかじめ設定し得るし、繰り返し回数とサブフレームセットとの間の対応付けを記憶する。当然のことながら、ネットワークサイドは、繰り返し回数とサブフレームセットとの間の対応付けをプリセットし得る。
【０３２５】
ネットワークサイドが異なるサブフレームセットを異なる繰り返し回数に設定している場合には、ネットワークサイドは、繰り返し回数とサブフレームセットとの間の対応付けをUEに送信する。
【０３２６】
必要に応じて、本発明の本実施形態においては、ネットワークサイドはさらに、対応する繰り返しレベルをダウンリンク制御チャネルの繰り返し回数に従って繰り返し回数と繰り返しレベルとの間の保存されている対応付けから獲得し、獲得した繰り返しレベルに従って、繰り返しレベルに対応するサブフレームセットを獲得してもよい。
【０３２７】
少なくとも1つの非重複サブフレームが、各繰り返し回数に対応するサブフレームセットに含まれており、ダウンリンク制御チャネルが、ダウンリンク制御チャネルについての、ダウンリンク制御チャネルの繰り返し回数に対応するサブフレームセット内にある、候補ロケーションを使用して送信され得る。ダウンリンク制御チャネルの候補ロケーションは、ダウンリンク制御チャネルに対応するアグリゲーションレベルについての、探索領域内の、異なる候補ロケーションである。
【０３２８】
さらに、ネットワークサイドは、異なる繰り返し回数の非重複サブフレームがダウンリンク制御チャネルを繰り返し送信するための開始サブフレームとなるように設定またはプリセットし得る。例えば、開始サブフレームまたは基準サブフレームは、特定の繰り返し回数に設定またはプリセットされ得るし、別の繰り返し回数の開始サブフレームは、繰り返し回数についての開始サブフレームまたは基準サブフレームおよび設定またはプリセットされたオフセット値に従って獲得される。オフセット値は、繰り返し回数についての開始サブフレームまたは基準サブフレームに関連したオフセットを示す。図12に示したように、繰り返しレベル1に対応する開始サブフレームは、サブフレーム0であり、繰り返しレベル1に対応するサブフレームセットは、サブフレーム0を含み、繰り返しレベル2に対応する開始サブフレームは、サブフレーム1であり、繰り返しレベル2に対応するサブフレームセットは、サブフレーム1、2、および3を含み、繰り返しレベル3に対応する開始サブフレームは、サブフレーム4であり、繰り返しレベル3に対応するサブフレームセットは、サブフレーム4、5、6、7、および8を含む。
【０３２９】
必要に応じて、ネットワークサイドは、異なる開始サブフレームセットを異なる繰り返し回数にさらに設定またはプリセットしてもよい。図13に示したように、繰り返しレベル1に対応する開始サブフレームセットは、サブフレーム0、3、および6を含み、開始サブフレーム0に対応するサブフレームセットは、サブフレーム0、1、2、3、および4を含み、開始サブフレーム3に対応するサブフレームセットは、サブフレーム3、4、5、6、および7を含み、開始サブフレーム6に対応する開始サブフレームセットは、サブフレーム6、7、8、9、および0を含む。繰り返しレベル2に対応する開始サブフレームセットは、サブフレーム1、4、および7を含み、開始サブフレーム1に対応するサブフレームセットは、サブフレーム1、2、3、4、5、6、7、8、9、および0を含み、開始サブフレーム4に対応するサブフレームセットは、サブフレーム4、5、6、7、8、9、0、1、2、および3を含み、開始サブフレーム7に対応する開始サブフレームセットは、サブフレーム7、8、9、0、1、2、3、4、5および6を含む。繰り返しレベル3に対応する開始サブフレームセットは、サブフレーム2、5、および8を含み、開始サブフレーム2に対応するサブフレームセットは、サブフレーム2、3、4、5、6、7、8、9、0、1、2、3、4、5、6、7、8、9、0、および1を含み、開始サブフレーム5に対応するサブフレームセットは、サブフレーム5、6、7、8、9、0、1、2、3、4、5、6、7、8、9、0、1、2、3、および4を含み、開始サブフレーム8に対応する開始サブフレームセットは、サブフレーム8、9、0、1、2、3、4、5、6、7、8、9、0、1、2、3、4、5、6、および7を含む。
【０３３０】
ステップ1102. 獲得したサブフレームセットにおいて、ネットワークサイドは、ダウンリンク制御情報をダウンリンク制御チャネルに付加して、ダウンリンク制御チャネルをUEに送信する。
【０３３１】
ステップ1103. ダウンリンク制御チャネルを、複数の保存されている繰り返し回数のうちの任意の繰り返し回数に関して、受信した場合には、UEは、繰り返し回数に対応するサブフレームセットに従って、対応するダウンリンク制御チャネルを獲得する。
【０３３２】
特に、UEが、複数の保存されている繰り返し回数のうちの任意の繰り返し回数に関して、ダウンリンク制御チャネルを受信した場合には、UEは、繰り返し回数に従って、対応するサブフレームセットを繰り返し回数とサブフレームセットとの間の保存されている対応付けから獲得する。UEは、サブフレームセットから、繰り返し回数に対応する開始サブフレームを獲得して、繰り返し回数に対応する開始サブフレームに従って、対応するダウンリンク制御チャネルを獲得する。
【０３３３】
ステップ1104. UEは、検出を獲得したダウンリンク制御チャネルに対して行う。
【０３３４】
特に、UEは、獲得したダウンリンク制御チャネルから、ダウンリンク制御情報およびダウンリンク制御情報に対応するCRCビットを獲得して、ビットシーケンスを取得し、生成多項式に対応するビットに従って、バイナリ除算をビットシーケンスに対して行って対応する剰余を取得する、ここで、生成多項式は、ダウンリンク制御チャネル上で搬送されるダウンリンク制御情報に対応するCRCビットに対応している。剰余が0である場合には、検証が成功したと決定され、剰余が0ではない場合には、検証が失敗したと決定される。
【０３３５】
ステップ1105. 検出が成功した場合には、UEは、繰り返し回数をダウンリンク制御チャネルの繰り返し回数として決定する。
【０３３６】
さらに、UEがダウンリンク制御チャネルの繰り返し回数を決定した後に、UEは、対応するダウンリンク制御チャネルの繰り返し回数に従ってデータチャネルの繰り返し回数をダウンリンク制御チャネルの繰り返し回数とデータチャネルの繰り返し回数との間の保存されている対応付けからさらに獲得し得る。データチャネルの繰り返し回数に従って、UEは、ダウンリンクデータチャネルを受信またはアップリンクデータチャネルを送信し得る。
【０３３７】
ダウンリンク制御チャネルの繰り返し回数とデータチャネルの繰り返し回数との間の保存されている対応付けは、ネットワークサイドがダウンリンク制御チャネルの繰り返し回数に従ってデータチャネルの繰り返し回数を設定した後にネットワークサイドによって送信された、ダウンリンク制御チャネルの繰り返し回数とデータチャネルの繰り返し回数との間の対応付けであり得る。当然のことながら、ダウンリンク制御チャネルの繰り返し回数とデータチャネルの繰り返し回数との間の保存されている対応付けはまた、UEによってプリセットされていてもよい。
【０３３８】
必要に応じて、ネットワークサイドは、ダウンリンク制御チャネルの繰り返し回数の順序に従って、データチャネルの繰り返し回数を獲得してもよい。すなわち、ダウンリンク制御チャネルの繰り返し回数はあらかじめ記憶されており、データチャネルの繰り返し回数はあらかじめ記憶されている、ここで、ダウンリンク制御チャネルの繰り返し回数の順序とデータチャネルの繰り返し回数の順序とは、1対1の対応関係にある。
【０３３９】
本発明の本実施形態においては、異なるサブフレームセットが異なる繰り返し回数に設定され、サブフレームセット内の非重複サブフレームが繰り返し回数の開始サブフレームとして決定される。UEは、繰り返し回数に対応するサブフレームセットに従って、ダウンリンク制御チャネルを受信し得るし、ダウンリンク制御チャネルの繰り返し回数をさらに決定する、その結果、ネットワークサイドによって送信された繰り返し回数は、UEによって検出された繰り返し回数と同一になり、さらに、UEは、データチャネルを受信することに成功し得る。UEがデータチャネルを受信することに成功した場合には、ネットワークサイドは、UEがACK/NACKメッセージをネットワークサイドに送信する際に別のUEのアップリンク制御チャネルが干渉を受けることがないように、アップリンク制御チャネルをUEに割り振る。データチャネルを受信することに成功した後は、UEは、再びデータチャネルを受信することはなくなり、それによって、UEの電力消費を低減している。
【０３４０】
必要に応じて、本発明の別の実施形態においては、ダウンリンク制御チャネルの繰り返し回数は、ダウンリンク制御チャネルの異なる繰り返し回数の検出における曖昧性の問題を回避するために、最大繰り返し回数から最小繰り返し回数への順序で検出を行うことによって決定され得る。
【０３４１】
実施形態11
図14は、本発明の実施形態による、ダウンリンク制御チャネルの繰り返し回数を決定するための装置を示している。図14を参照すれば、装置は、メモリ1401およびプロセッサ1402を備えるとともに、以下のダウンリンク制御チャネルの繰り返し回数を決定するための方法を行うために使用される、ここで、方法は、
ダウンリンク制御チャネルの繰り返し回数に対応する処理情報を獲得するステップと、
処理情報に従って、ダウンリンク制御チャネルをユーザ機器UEに送信するステップであって、ダウンリンク制御チャネルは、UEが処理情報に従ってダウンリンク制御チャネルの繰り返し回数を決定することができるように、必要な処理が行われたダウンリンク制御情報を搬送するために使用される、ステップとを含む。
【０３４２】
必要に応じて、ダウンリンク制御チャネルの繰り返し回数に対応する処理情報を獲得するステップは、
ダウンリンク制御チャネルの繰り返し回数に従って、対応するマスクを獲得するステップを含む。
【０３４３】
必要に応じて、処理情報に従って、ダウンリンク制御チャネルをユーザ機器UEに送信するステップは、
ダウンリンク制御チャネル上で搬送されるダウンリンク制御情報の後ろに連続して、ダウンリンク制御情報に対応する周期的冗長検査コードCRCビットを結合してビットシーケンスを取得するステップと、
マスクおよびUEの無線ネットワークテンポラリ情報RNTIに従って、スクランブルをダウンリンク制御チャネル上で搬送されるダウンリンク制御情報に対応するCRCビットに対して行って必要な処理が行われたダウンリンク制御情報を取得するステップと、
必要な処理が行われたダウンリンク制御情報をダウンリンク制御チャネルに付加して、ダウンリンク制御チャネルをUEに送信するステップとを含む。
【０３４４】
方法は、
アンテナ選択が設定されている場合にアンテナ選択マスクを獲得するステップをさらに含む。
【０３４５】
それに対応するように、マスクおよびUEの無線ネットワークテンポラリ情報RNTIに従って、スクランブルをダウンリンク制御チャネル上で搬送されるダウンリンク制御情報に対応するCRCビットに対して行って必要な処理が行われたダウンリンク制御情報を取得するステップは、
マスク、アンテナ選択マスク、およびRNTIに従って、スクランブルをダウンリンク制御チャネル上で搬送されるダウンリンク制御情報に対応するCRCビットに対して行って必要な処理が行われたダウンリンク制御情報を取得するステップを含む。
【０３４６】
必要に応じて、ダウンリンク制御チャネルの繰り返し回数に対応する処理情報を獲得するステップは、
ダウンリンク制御チャネルの繰り返し回数に対応するスクランブル初期化パラメータを獲得するステップと、
ダウンリンク制御チャネルが現在位置しているタイムスロットの番号およびネットワークサイドによって獲得された識別ID値を獲得するステップと、
シーケンスジェネレータがスクランブルシーケンスを生成することができるように、スクランブル初期化パラメータ、ダウンリンク制御チャネルが現在位置しているタイムスロットの番号、およびネットワークサイドによって獲得されたID値に従って、シーケンスジェネレータを初期化するステップとを含む。
【０３４７】
必要に応じて、処理情報に従って、ダウンリンク制御チャネルをユーザ機器UEに送信するステップの前に、方法は、
ダウンリンク制御情報の後ろに連続してCRCビットを結合してビットシーケンスを取得するステップと、
チャネル符号化をビットシーケンスに対して行って符号化ブロックを取得するステップと、
レートマッチング処理を符号化ブロックに対して行ってレートマッチングビットを取得するステップとをさらに含む。
【０３４８】
必要に応じて、処理情報に従って、ダウンリンク制御チャネルをユーザ機器UEに送信するステップは、
シーケンスジェネレータによって生成されたスクランブルシーケンスに従って、スクランブルをレートマッチングビットに対して行って必要な処理が行われたダウンリンク制御情報を取得するステップと、
必要な処理が行われたダウンリンク制御情報をダウンリンク制御チャネルに付加して、ダウンリンク制御チャネルをUEに送信するステップとを含む。
【０３４９】
さらに、方法は、
スクランブルおよび変調をレートマッチングビットに対して行って変調シンボルを取得するステップをさらに含む。
【０３５０】
それに対応するように、処理情報に従って、ダウンリンク制御チャネルをユーザ機器UEに送信するステップは、
変調シンボルおよび繰り返し回数に対応するスクランブルシーケンスをビット単位で乗算して、必要な処理が行われたダウンリンク制御情報を取得するステップと、
必要な処理が行われたダウンリンク制御情報をダウンリンク制御チャネルに付加して、ダウンリンク制御チャネルをUEに送信するステップとを含む。
【０３５１】
ダウンリンク制御チャネルの繰り返し回数に対応する処理情報を獲得するステップは、
ダウンリンク制御チャネルの繰り返し回数に関する指示ビットを獲得するステップと、
繰り返し回数を示すために、ダウンリンク制御チャネルの繰り返し回数に従って指示ビットを設定するステップとを含む。
【０３５２】
指示ビットは、新たに追加されたビットまたは既存のビットである。
【０３５３】
必要に応じて、ダウンリンク制御チャネルの繰り返し回数に対応する処理情報を獲得するステップは、
繰り返し回数に対応する周波数領域リソースを獲得するステップであって、周波数領域リソースは、候補ロケーションまたは制御チャネルの探索領域である、ステップを含む。
【０３５４】
必要に応じて、処理情報に従って、ダウンリンク制御チャネルをユーザ機器UEに送信するステップは、
ダウンリンク制御情報をダウンリンク制御チャネルに付加して、ダウンリンク制御チャネルを周波数領域リソースに付加するステップと、
周波数領域リソース上でダウンリンク制御チャネルをUEに送信するステップとを含む。
【０３５５】
必要に応じて、処理情報に従って、ダウンリンク制御チャネルをユーザ機器UEに送信するステップは、
UEが、設定シグナリングメッセージに従って、プリセットされた実効時間後の繰り返し回数を決定することができるように、設定シグナリングメッセージをUEに送信するステップと、
繰り返し回数に従って、ダウンリンク制御情報をダウンリンク制御チャネルに付加して、プリセットされた実効時間が満了した後にダウンリンク制御チャネルをUEに送信するステップとを含む。
【０３５６】
設定シグナリングメッセージは、無線リソース制御RRCメッセージまたは媒体アクセス制御要素MAC CEメッセージである。
【０３５７】
必要に応じて、ダウンリンク制御チャネルの繰り返し回数に対応する処理情報を獲得するステップは、
ダウンリンク制御チャネルの繰り返し回数に従って、繰り返し回数に対応するサブフレームセットを獲得するステップを含む。
【０３５８】
必要に応じて、処理情報に従って、ダウンリンク制御チャネルをユーザ機器UEに送信するステップは、
繰り返し回数に対応するサブフレームセットにおいて、ダウンリンク制御情報をダウンリンク制御チャネルに付加して、ダウンリンク制御チャネルをUEに送信するステップを含む。
【０３５９】
複数の繰り返し回数に対応するサブフレームセットは、少なくとも1つの非重複サブフレームを含む。
【０３６０】
さらに、方法は、
ダウンリンク制御チャネルの繰り返し回数とデータチャネルの繰り返し回数との間の対応付けを設定して、UEに、ダウンリンク制御チャネルの繰り返し回数とデータチャネルの繰り返し回数との間の対応付けを送信するステップ、または、
ダウンリンク制御チャネルの繰り返し回数とデータチャネルの繰り返し回数との間の対応付けをプリセットするステップをさらに含む。
【０３６１】
さらに、方法は、
ダウンリンク制御チャネルの繰り返し回数に従って、対応するデータチャネルの繰り返し回数からダウンリンク制御チャネルの繰り返し回数とデータチャネルの繰り返し回数との間の対応付けから獲得するステップと、
データチャネルの繰り返し回数に従って、ダウンリンクデータチャネルを送信またはアップリンクデータチャネルを受信するステップとをさらに含む。
【０３６２】
本発明の本実施形態においては、ダウンリンク制御チャネルの繰り返し回数に対応する処理情報を獲得し、ダウンリンク制御チャネルを、処理情報に従って、UEに送信する。受信したダウンリンク制御チャネルに従って、UEは、ダウンリンク制御チャネルの繰り返し回数を決定する、その結果、ネットワークサイドによって送信された繰り返し回数は、UEによって検出された繰り返し回数と同一になり、さらに、UEは、データチャネルを受信することに成功し得る。UEがデータチャネルを受信することに成功した場合には、UEが割り振られたアップリンク制御リソースに従ってACK/NACKメッセージをネットワークサイドに送信するならば、別のUEのアップリンク制御チャネルが干渉を受けることはない。データチャネルを受信することに成功した後は、UEは、再びデータチャネルを受信することはなくなり、それによって、UEの電力消費およびリソース消費を低減している。
【０３６３】
実施形態12
図15は、本発明の実施形態による、ダウンリンク制御チャネルの繰り返し回数を決定するための装置の概略構造図である。図15を参照すれば、装置は、メモリ1501およびプロセッサ1502を備えるとともに、以下のダウンリンク制御チャネルの繰り返し回数を決定するための方法を行うために使用される、ここで、方法は、
ダウンリンク制御チャネルを受信するステップであって、ダウンリンク制御チャネルは、必要な処理が行われたダウンリンク制御情報を搬送するために使用され、ダウンリンク制御情報は、ダウンリンク制御チャネルの繰り返し回数に対応する処理情報に従って、ネットワークサイドによって送信される、ステップと、
ダウンリンク制御チャネルに従って、ダウンリンク制御チャネルの繰り返し回数を決定するステップとを含む。
【０３６４】
必要に応じて、ダウンリンク制御チャネルに従って、ダウンリンク制御チャネルの繰り返し回数を決定するステップは、
複数の保存されている繰り返し回数のうちの任意の繰り返し回数に関して、繰り返し回数に対応するスクランブルシーケンスに従って、デスクランブルをダウンリンク制御チャネル上で搬送される必要な処理が行われたダウンリンク制御情報に対して行うステップと、
ダウンリンク制御チャネル上で搬送されるダウンリンク制御情報に対応する周期的冗長検査CRCビットに従って、検証をデスクランブルしたダウンリンク制御情報に対して行うステップと、
検証が成功した場合には、繰り返し回数をダウンリンク制御チャネルの繰り返し回数として決定するステップとを含む。
【０３６５】
必要に応じて、繰り返し回数に対応するスクランブルシーケンスに従って、デスクランブルをダウンリンク制御チャネル上で搬送される必要な処理が行われたダウンリンク制御情報に対して行うステップは、
繰り返し回数に対応するマスクおよびユーザ機器UEの無線ネットワークテンポラリ情報RNTIに従って、デスクランブルをダウンリンク制御チャネル上で搬送される必要な処理が行われたダウンリンク制御情報内のスクランブルされたCRCビットに対して行うステップを含む。
【０３６６】
アンテナ選択が設定されている場合には、繰り返し回数に対応するマスクおよびユーザ機器UEの無線ネットワークテンポラリ情報RNTIに従って、デスクランブルをダウンリンク制御チャネル上で搬送される必要な処理が行われたダウンリンク制御情報内のスクランブルされたCRCビットに対して行うステップは、
繰り返し回数に対応するマスク、アンテナ選択マスク、およびRNTIに従って、デスクランブルをダウンリンク制御チャネル上で搬送される必要な処理が行われたダウンリンク制御情報内のスクランブルされたCRCビットに対して行うステップを含む。
【０３６７】
必要に応じて、繰り返し回数に対応するスクランブルシーケンスに従って、デスクランブルをダウンリンク制御チャネル上で搬送される必要な処理が行われたダウンリンク制御情報に対して行うステップは、
シーケンスジェネレータがスクランブルシーケンスを生成することができるように、繰り返し回数に対応するスクランブル初期化パラメータ、ダウンリンク制御チャネルが現在位置しているタイムスロットの番号、およびUEによって獲得された識別ID値に従って、シーケンスジェネレータを初期化するステップと、
シーケンスジェネレータによって生成されたスクランブルシーケンスに従って、デスクランブルをダウンリンク制御チャネル上で搬送される必要な処理が行われたダウンリンク制御情報に対して行うステップとを含む。
【０３６８】
必要に応じて、繰り返し回数に対応するスクランブルシーケンスに従って、デスクランブルをダウンリンク制御チャネル上で搬送される必要な処理が行われたダウンリンク制御情報に対して行うステップは、
ダウンリンク制御チャネル上で搬送される必要な処理が行われたダウンリンク制御情報に対応するシンボルと繰り返し回数に対応するスクランブルシーケンスとをビット単位で乗算して、デスクランブルしたダウンリンク制御情報を取得するステップを含む。
【０３６９】
必要に応じて、ダウンリンク制御チャネルに従って、ダウンリンク制御チャネルの繰り返し回数を決定するステップは、
ダウンリンクチャネル上で搬送されるダウンリンク制御情報内の指示ビットを獲得するステップと、
指示ビットに従って、ダウンリンク制御チャネルの繰り返し回数を決定するステップとを含む。
【０３７０】
指示ビットは、新たに追加されたビットまたは既存のビットである。
【０３７１】
必要に応じて、ダウンリンク制御チャネルに従って、ダウンリンク制御チャネルの繰り返し回数を決定するステップは、
複数の保存されている繰り返し回数のうちの任意の繰り返し回数に関して、繰り返し回数に対応する周波数領域リソースに従って、検出をダウンリンク制御チャネルに対して行うステップであって、周波数領域リソースは、候補ロケーションまたはダウンリンク制御チャネルの探索領域である、ステップと、
検出が成功した場合には、繰り返し回数をダウンリンク制御チャネルの繰り返し回数として決定するステップとを含む。
【０３７２】
異なる繰り返し回数が異なる探索領域にある場合には、オフセットが隣接探索領域の間に存在する。
【０３７３】
必要に応じて、ダウンリンク制御チャネルに従って、ダウンリンク制御チャネルの繰り返し回数を決定するステップは、
設定シグナリングメッセージを受信するステップと、
設定シグナリングメッセージにおいて搬送された繰り返し回数が、プリセットされた実効時間後の、ダウンリンク制御チャネルについての、繰り返し回数であると決定するステップとを含む。
【０３７４】
設定シグナリングメッセージは、無線リソース制御RRCメッセージまたは媒体アクセス制御要素MAC CEメッセージである。
【０３７５】
必要に応じて、ダウンリンク制御チャネルに従って、ダウンリンク制御チャネルの繰り返し回数を決定するステップは、
複数の保存されている繰り返し回数のうちの任意の繰り返し回数に関して、繰り返し回数に対応するサブフレームセットに従って、対応するダウンリンク制御チャネルを獲得するステップと、
検出を獲得したダウンリンク制御チャネルに対して行うステップと、
検出が成功した場合には、繰り返し回数をダウンリンク制御チャネルの繰り返し回数として決定するステップとを含む。
【０３７６】
複数の繰り返し回数に対応するサブフレームセットは、少なくとも1つの非重複サブフレームを含む。
【０３７７】
さらに、方法は、
ダウンリンク制御チャネルの繰り返し回数に従って、データチャネルの繰り返し回数をダウンリンク制御チャネルの繰り返し回数とデータチャネルの繰り返し回数との間の保存されている対応付けから獲得するステップと、
データチャネルの繰り返し回数に従って、ダウンリンクデータチャネルを受信またはアップリンクデータチャネルを送信するステップをさらに含む。
【０３７８】
さらに、ダウンリンク制御チャネルの繰り返し回数に従って、データチャネルの繰り返し回数をダウンリンク制御チャネルの繰り返し回数とデータチャネルの繰り返し回数との間の保存されている対応付けから獲得するステップの前に、方法は、
ダウンリンク制御チャネルの繰り返し回数とデータチャネルの繰り返し回数との間の対応付けを受信するステップをさらに含む。
【０３７９】
本発明の本実施形態においては、ダウンリンク制御チャネルの繰り返し回数に対応する処理情報を獲得し、ダウンリンク制御チャネルを、処理情報に従って、UEに送信する。受信したダウンリンク制御チャネルに従って、UEは、ダウンリンク制御チャネルの繰り返し回数を決定する、その結果、ネットワークサイドによって送信された繰り返し回数は、UEによって検出された繰り返し回数と同一になり、さらに、UEは、データチャネルを受信することに成功し得る。UEがデータチャネルを受信することに成功した場合には、UEが割り振られたアップリンク制御リソースに従ってACK/NACKメッセージをネットワークサイドに送信するならば、別のUEのアップリンク制御チャネルが干渉を受けることはない。データチャネルを受信することに成功した後は、UEは、再びデータチャネルを受信することはなくなり、それによって、UEの電力消費およびリソース消費を低減している。
【０３８０】
当業者は、実施形態のステップのすべてまたは一部がハードウェアまたは関連ハードウェアを命令するプログラムによって実装され得ることを理解されよう。プログラムは、コンピュータ可読記憶媒体に記憶され得る。記憶媒体は、リードオンリーメモリ、磁気ディスク、光ディスクなどを含み得る。
【０３８１】
前述の説明は、本発明の例示的な実施形態にすぎず、本発明を限定することを意図したものではない。本発明の精神および原理を逸脱しない限りでなされた、いかなる修正、均等物との置換、および改良も、本発明の保護範囲に含まれるものとする。
【符号の説明】
【０３８２】
102  送信モジュール
102  送信モジュール
201  第1の受信モジュール
202  決定モジュール
1401  メモリ
1402  プロセッサ
1501  メモリ
1502  プロセッサ
【図１】
0006368028.tif 000028
【図２】
0006368028.tif 000029
【図３】
0006368028.tif 000030
【図４】
0006368028.tif 000031
【図５】
0006368028.tif 000032
【図６】
0006368028.tif 000033
【図７】
0006368028.tif 000034
【図８】
0006368028.tif 000035
【図９】
0006368028.tif 000036
【図１０】
0006368028.tif 000037
【図１１】
0006368028.tif 000038
【図１２】
0006368028.tif 000039
【図１３】
0006368028.tif 000040
【図１４】
0006368028.tif 000041
【図１５】
0006368028.tif 000042